(57)【要約】【課題】  従来の止水部を備えた水道メータシステムよりも全長を短くすることが可能な水道メータシステムの提供を目的とする。【解決手段】  本実施形態の水道メータシステム１００によれば、可動筒体３０Ａを止水位置に配置すると可動筒体３０Ａが止水部として機能して、水道メータ２０Ａよりも上流側と下流側との両方から水道水が可動筒体３０Ａの内側に流れ込まなくなる。これにより、中間金具１０Ａから水道水を漏出させることなく水道メータ２０Ａを取り外すことができる。しかも、止水部として機能する可動筒体３０Ａは、メータ受容部１１Ａの内側に配置されているので、止水部とメータ受容部とを水道管との接続方向に横並びに配置した従来の水道メータシステムに比較して全長を短くすることができる。【選択図】  図５
2006275589.tif 000002
【特許請求の範囲】
【請求項１】
水道メータを中間金具に組み付けてなる水道メータシステムであって、前記中間金具には、水道管に接続される１対の水道管接続部と、前記水道メータを着脱可能に受容したメータ受容部と、一方の前記水道管接続部から前記メータ受容部内に連通した上流側端部流路と、前記メータ受容部内から他方の前記水道管接続部に連通した下流側端部流路とが形成され、水道水が前記上流側端部流路から前記水道メータを通過して前記下流側端部流路に流れるようにした水道メータシステムにおいて、
前記メータ受容部の内側に嵌合されて前記水道メータを受容しかつ、第１の位置と第２の位置との間で移動操作可能な可動筒体を設けると共に、その可動筒体に、前記上流側端部流路と前記下流側端部流路とに対応した上流側中継流路と下流側中継流路とを貫通形成し、
前記可動筒体が前記第１の位置に配置された場合には、前記上流側端部流路と前記上流側中継流路との間及び前記下流側端部流路と前記下流側中継流路との間が共に連通して、水道水が前記上流側端部流路から前記水道メータを通過し前記下流側端部流路に流れる一方、前記可動筒体が前記第２の位置に配置された場合には、少なくとも前記上流側端部流路と前記上流側中継流路との間が断絶するように構成したことを特徴とする水道メータシステム。
【請求項２】
前記可動筒体が前記第２の位置に配置された場合に、前記上流側端部流路と前記上流側中継流路との間及び前記下流側端部流路と前記下流側中継流路との間が共に断絶するように構成したことを特徴とする請求項１に記載の水道メータシステム。
【請求項３】
前記可動筒体は、円筒状をなすと共に、前記上流側中継流路及び前記下流側中継流路は、前記可動筒体の周方向に離して配置され、
前記メータ受容部は、前記可動筒体が嵌合可能な円筒内面を備えると共に、前記上流側端部流路及び前記下流側端部流路の各開口は、前記円筒内面の周方向に離して配置され、
前記可動筒体は、前記メータ受容部に対して回動操作されて、前記第１の位置と前記第２の位置との間を移動するように構成されたことを特徴とする請求項１又は２に記載の水道メータシステム。
【請求項４】
前記水道メータは、前記可動筒体の内部に嵌合される円柱形状をなしかつその径方向に貫通した計測流路を有し、前記計測流路を流れる水道水の通過体積を、超音波、電磁誘導又は羽根車を利用して計量するように構成され、
前記可動筒体が前記第１の位置に配置された場合に、前記上流側端部流路及び前記下流側端部流路の各開口と、前記上流側中継流路及び前記下流側中継流路と、前記計量流路とが同軸線上に配置されるように構成したことを特徴とする請求項３に記載の水道メータシステム。
【請求項５】
前記可動筒体の一端部を前記水道メータシステムの外側に露出し、その露出部分に前記可動筒体を操作するための筒体操作部を備えたことを特徴とする請求項１乃至４の何れかに記載の水道メータシステム。
【請求項６】
前記可動筒体のうち前記水道メータが挿入される側の端部開口と反対側の端部壁を前記中間金具から露出し、その露出部分に前記可動筒体を操作するための操作レバーを設けたことを特徴とする請求項１乃至４の何れかに記載の水道メータシステム。
【請求項７】
前記可動筒体と前記水道メータとの間には、前記可動筒体の内部への水道メータの挿抜を許容する一方、前記可動筒体と前記水道メータとが一体回転するように係合する凸部及び凹部を備えたことを特徴とする請求項１乃至４の何れかに記載の水道メータシステム。
【請求項８】
前記凸部は、前記可動筒体と前記水道メータとの一方の周面から側方に突出形成され、前記凹部は、前記可動筒体と前記水道メータとの他方の周面に形成され、前記可動筒体と前記水道メータとの嵌合方向に延びた溝状をなしたことを特徴とする請求項７に記載の水道メータシステム。
【請求項９】
前記可動筒体に形成されて、前記可動筒体が前記第２の位置に配置された場合に、前記上流側端部流路及び前記下流側端部流路の間を連絡する一方、
前記可動筒体が前記第１の位置に配置された場合に、前記上流側端部流路及び前記下流側端部流路の少なくとも一方から切り離されて、それら上流側端部流路及び下流側端部流路の間を断絶するバイパス流路を備えたことを特徴とする請求項１乃至８の何れかに記載の水道メータシステム。
【請求項１０】
前記バイパス流路は、前記可動筒体の周方向に沿って延びた溝形状であることを特徴とする請求項９に記載の水道メータシステム。
【請求項１１】
前記バイパス流路は、前記可動筒体の外周面の全周に亘って延びた環形状になっていることを特徴とする請求項１０に記載の水道メータシステム。
【請求項１２】
前記バイパス流路は、前記上流側中継流路及び／又は前記下流側中継流路の近傍部分において、前記可動筒体における円筒壁部の内部を通過しかつ、前記上流側中継流路及び／又は前記下流側中継流路と立体交差したことを特徴とする請求項９に記載の水道メータシステム。
【請求項１３】
前記メータ受容部と前記可動筒体との間に形成されて、前記上流側端部流路と前記上流側中継流路とが共に連通した球体収容部屋と、
前記球体収容部屋内に収容され、水道水が前記上流側端部流路から前記下流側端部流路に向かう順方向に流れたか逆方向に流れたかに応じて、その流れの方向に移動する球体と、
前記球体収容部屋における前記上流側端部流路の開口縁に設けられ、前記水道水が逆方向に流れた場合に前記球体が密着して前記上流側端部流路を塞ぐための開口シール部と、
前記メータ受容部又は前記可動筒体に設けられ、前記水道水が順方向に流れた場合に前記球体と当接し、前記球体を前記上流側中継流路の開口縁から離した位置に保持するための球体当接部と、
前記可動筒体に形成されて、前記可動筒体が前記第１の位置に配置された場合には、前記球体を水道水の流れに応じて移動可能とする一方、前記可動筒体が前記第２の位置に配置された場合には、前記球体を前記開口シール部に押し付けるカム機構を備えたことを特徴とする請求項１乃至８の何れかに記載の水道メータシステム。
【請求項１４】
前記可動筒体は前記メータ受容部内で回動可能に設けられると共に、前記可動筒体の径方向で、前記球体収容部屋と前記上流側端部流路の開口とが対向するように配置されたことを特徴とする請求項１３に記載の水道メータシステム。
【請求項１５】
前記可動筒体は前記メータ受容部内で回動可能に設けられると共に、前記可動筒体の軸方向で、前記球体収容部屋と前記上流側端部流路の開口とが対向するように配置され、
前記カム機構には、前記球体収容部屋に収容されると共に、前記メータ受容部に対して回転を規制されかつ直動可能に係合したカム中継部材と、前記可動筒体と前記カム中継部材との間に形成されて、前記可動筒体を回動したときに摺接し、前記カム中継部材を前記球体側に直動させて前記球体を前記開口シール部に押し付ける回動摺接部とが備えられたことを特徴とする請求項１３に記載の水道メータシステム。
【発明の詳細な説明】
【技術分野】
【０００１】
本発明は、水道メータを中間金具に組み付けてなる水道メータシステムであって、中間金具には、水道管に接続される１対の水道管接続部と、水道メータを着脱可能に受容したメータ受容部と、一方の水道管接続部からメータ受容部内に連通した上流側端部流路と、メータ受容部内から他方の水道管接続部に連通した下流側端部流路とが形成され、水道水が上流側端部流路と下流側端部流路との間を流れるようにした水道メータシステムに関する。
【背景技術】
【０００２】
従来より、この種の水道メータシステムは、水道メータを取り外す際に水道メータへの水道水の流入を止めるために止水部を備えていた（例えば、特許文献１参照）。
【特許文献１】特開２００１−２１４０４号公報（段落［００１２］、第１図）
【発明の開示】
【発明が解決しようとする課題】
【０００３】
ところが、上述した従来の水道メータシステムは、メータ受容部と止水部とが、水道管との接続方向に横並びに配置されているため、止水部を備えていないものに比べて水道管との接続方向における全長が長くなり、止水部を有しない水道メータシステムよりも大きな設置スペースが必要であるという問題があった。
【０００４】
本発明は、上記事情に鑑みてなされたもので、従来の止水部を備えた水道メータシステムよりも全長を短くすることが可能な水道メータシステムの提供を目的とする。
【課題を解決するための手段】
【０００５】
上記目的を達成するためになされた請求項１の発明に係る水道メータシステムは、水道メータを中間金具に組み付けてなる水道メータシステムであって、中間金具には、水道管に接続される１対の水道管接続部と、水道メータを着脱可能に受容したメータ受容部と、一方の水道管接続部からメータ受容部内に連通した上流側端部流路と、メータ受容部内から他方の水道管接続部に連通した下流側端部流路とが形成され、水道水が上流側端部流路から水道メータを通過して下流側端部流路に流れるようにした水道メータシステムにおいて、メータ受容部の内側に嵌合されて水道メータを受容しかつ、第１の位置と第２の位置との間で移動操作可能な可動筒体を設けると共に、その可動筒体に、上流側端部流路と下流側端部流路とに対応した上流側中継流路と下流側中継流路とを貫通形成し、可動筒体が第１の位置に配置された場合には、上流側端部流路と上流側中継流路との間及び下流側端部流路と下流側中継流路との間が共に連通して、水道水が上流側端部流路から水道メータを通過し下流側端部流路に流れる一方、可動筒体が第２の位置に配置された場合には、少なくとも上流側端部流路と上流側中継流路との間が断絶するように構成したところに特徴を有する。
ここで、「中間金具」とは、水道管に水道メータを間接的に取り付けるための構造物であって、水道メータの業界では慣習上「中間金具」（「ＪＩＳ  Ｂ８５７０−１：２００５」を参照）と呼ばれているが、その材質は金属に限るものではなく、例えば、合成樹脂等の他の材質でもよい。
【０００６】
請求項２の発明は、請求項１に記載の水道メータシステムにおいて、可動筒体が第２の位置に配置された場合に、上流側端部流路と上流側中継流路との間及び下流側端部流路と下流側中継流路との間が共に断絶するように構成したところに特徴を有する。
【０００７】
請求項３の発明は、請求項１又は２に記載の水道メータシステムにおいて、可動筒体は、円筒状をなすと共に、上流側中継流路及び下流側中継流路は、可動筒体の周方向に離して配置され、メータ受容部は、可動筒体が嵌合可能な円筒内面を備えると共に、上流側端部流路及び下流側端部流路の各開口は、円筒内面の周方向に離して配置され、可動筒体は、メータ受容部に対して回動操作されて、第１の位置と第２の位置との間を移動するように構成されたところに特徴を有する。
【０００８】
請求項４の発明は、請求項３に記載の水道メータシステムにおいて、水道メータは、可動筒体の内部に嵌合される円柱形状をなしかつその径方向に貫通した計量流路を有し、計量流路を流れる水道水の通過体積を、超音波、電磁誘導又は羽根車を利用して計量するように構成され、可動筒体が第１の位置に配置された場合に、上流側端部流路及び下流側端部流路の各開口と、上流側中継流路及び下流側中継流路と、計量流路とが同軸線上に配置されるように構成したところに特徴を有する。
【０００９】
請求項５の発明は、請求項１乃至４の何れかに記載の水道メータシステムにおいて、可動筒体の一端部を水道メータシステムの外側に露出し、その露出部分に可動筒体を操作するための筒体操作部を備えたところに特徴を有する。
【００１０】
請求項６の発明は、請求項１乃至４の何れかに記載の水道メータシステムにおいて、可動筒体のうち水道メータが挿入される側の端部開口と反対側の端部壁を中間金具から露出し、その露出部分に可動筒体を操作するための操作レバーを設けたところに特徴を有する。
【００１１】
請求項７の発明は、請求項１乃至４の何れかに記載の水道メータシステムにおいて、可動筒体と水道メータとの間には、可動筒体の内部への水道メータの挿抜を許容する一方、可動筒体と水道メータとが一体回転するように係合する凸部及び凹部を備えたところに特徴を有する。
【００１２】
請求項８の発明は、請求項７に記載の水道メータシステムにおいて、凸部は、可動筒体と水道メータとの一方の周面から側方に突出形成され、凹部は、可動筒体と水道メータとの他方の周面に形成され、可動筒体と水道メータとの嵌合方向に延びた溝状をなしたところに特徴を有する。
【００１３】
請求項９の発明は、請求項１乃至８の何れかに記載の水道メータシステムにおいて、可動筒体に形成されて、可動筒体が第２の位置に配置された場合に、上流側端部流路及び下流側端部流路の間を連絡する一方、可動筒体が第１の位置に配置された場合に、上流側端部流路及び下流側端部流路の少なくとも一方から切り離されて、それら上流側端部流路及び下流側端部流路の間を断絶するバイパス流路を備えたところに特徴を有する。
【００１４】
請求項１０の発明は、請求項９に記載の水道メータシステムにおいて、バイパス流路は、可動筒体の周方向に沿って延びた溝形状であるところに特徴を有する。
【００１５】
請求項１１の発明は、請求項１０に記載の水道メータシステムにおいて、バイパス流路は、可動筒体の外周面の全周に亘って延びた環形状になっているところに特徴を有する。
【００１６】
請求項１２の発明は、請求項９に記載の水道メータシステムにおいて、バイパス流路は、上流側中継流路及び／又は下流側中継流路の近傍部分において、可動筒体における円筒壁部の内部を通過しかつ、上流側中継流路及び／又は下流側中継流路と立体交差したところに特徴を有する。
【００１７】
請求項１３の発明は、請求項１乃至８の何れかに記載の水道メータシステムにおいて、メータ受容部と可動筒体との間に形成されて、上流側端部流路と上流側中継流路とが共に連通した球体収容部屋と、球体収容部屋内に収容され、水道水が上流側端部流路から下流側端部流路に向かう順方向に流れたか逆方向に流れたかに応じて、その流れの方向に移動する球体と、球体収容部屋における上流側端部流路の開口縁に設けられ、水道水が逆方向に流れた場合に球体が密着して上流側端部流路を塞ぐための開口シール部と、メータ受容部又は可動筒体に設けられ、水道水が順方向に流れた場合に球体と当接し、球体を上流側中継流路の開口縁から離した位置に保持するための球体当接部と、可動筒体に形成されて、可動筒体が第１の位置に配置された場合には、球体を水道水の流れに応じて移動可能とする一方、可動筒体が第２の位置に配置された場合には、球体を開口シール部に押し付けるカム機構を備えたところに特徴を有する。
【００１８】
請求項１４の発明は、請求項１３に記載の水道メータシステムにおいて、可動筒体はメータ受容部内で回動可能に設けられると共に、可動筒体の径方向で、球体収容部屋と上流側端部流路の開口とが対向するように配置されたところに特徴を有する。
【００１９】
請求項１５の発明は、請求項１３に記載の水道メータシステムにおいて、可動筒体はメータ受容部内で回動可能に設けられると共に、可動筒体の軸方向で、球体収容部屋と上流側端部流路の開口とが対向するように配置され、カム機構には、球体収容部屋に収容されると共に、メータ受容部に対して回転を規制されかつ直動可能に係合したカム中継部材と、可動筒体とカム中継部材との間に形成されて、可動筒体を回動したときに摺接し、カム中継部材を球体側に直動させて球体を開口シール部に押し付ける回動摺接部とが備えられたところに特徴を有する。
【発明の効果】
【００２０】
［請求項１の発明］
請求項１の水道メータシステムで水道水の通過体積を計測する場合には、可動筒体を第１の位置に配置する。すると、水道水は、上流側端部流路、上流側中継流路を通って水道メータ内に流入し、水道メータから下流側中継流路、下流側端部流路を通って水道メータシステムの下流側に流出する。これにより、上流側端部流路と下流側端部流路との間を流れる水道水の通過体積が水道メータにて計量される。
【００２１】
一方、水道メータを取り外す場合には、可動筒体をメータ受容部の内側で第１の位置から第２の位置に移動する。すると、上流側端部流路と上流側中継流路との間が断絶され、上流側中継流路から可動筒体の内部に水道水が流入しなくなる。これにより、少なくとも上流側から水道メータに水道水が流入しない状態としてから、水道メータを取り外すことができる。
【００２２】
ここで、止水部として機能する可動筒体は、水道メータを受容するメータ受容部の内側に配置されているので、従来の止水部を備えた水道メータシステムよりも全長を短くすることができる。
【００２３】
［請求項２の発明］
請求項２の水道メータシステムによれば、水道メータより上流側と下流側の端部流路の両方で止水する（閉じる）ことができる。これにより、水道メータを取り外す際に水道メータシステムから水道水が漏出することが防がれる。しかも、可動筒体を第１と第２の位置の間で移動する一操作で、水道メータの上流側と下流側の端部流路の両方を一度に開閉することができ、操作性にも優れる。
【００２４】
［請求項３の発明］
請求項３の水道メータシステムにおいて、可動筒体が第２の位置に配置された場合に、上流側端部流路と上流側中継流路との間が断絶されるように構成したものでは、可動筒体をメータ受容部に対して回動操作して、第１の位置から第２の位置に向けて移動すると、上流側中継流路が、メータ受容部の円筒内面に形成された上流側端部流路の開口に対して徐々にずらされ、第２の位置に至ると上流側中継流路がメータ受容部の円筒内面により完全に塞がれる。
【００２５】
また、可動筒体が第２の位置に配置された場合に、上流側端部流路と上流側中継流路との間、及び、下流側端部流路と下流側中継流路との間が共に断絶されるように構成したものでは、可動筒体を第１の位置から第２の位置に向けて移動すると、上流側中継流路及び下流側中継流路が、メータ受容部の円筒内面に形成された上流側端部流路及び下流側端部流路の各開口に対して徐々にずらされ、第２の位置に至ると上流側中継流路及び下流側中継流路がそれぞれメータ受容部の円筒内面により完全に塞がれる。
【００２６】
［請求項４の発明］
請求項４の水道メータシステムでは、可動筒体を第２の位置にすることで水道メータよりも上流側と下流側との両方を一度に止水することができる。また、可動筒体が第１の位置に配置されたときに水道水をスムーズに流すことができる。
【００２７】
［請求項５の発明］
請求項５の水道メータシステムでは、水道メータシステムの外側から可動筒体を第１の位置と第２の位置との間で移動操作することができる。
【００２８】
［請求項６の発明］
請求項６の水道メータシステムでは、中間金具から露出した操作レバーを操作することで、可動筒体を第１の位置と第２の位置との間で移動することができる。
【００２９】
［請求項７及び８の発明］
請求項７の水道メータシステムでは、水道メータを操作することで可動筒体を第１の位置と第２の位置との間で移動することができる。具体的には、凸部は、可動筒体と水道メータとの一方の周面から側方に突出形成され、凹部は、可動筒体と水道メータとの他方の周面に形成され、可動筒体と水道メータとの嵌合方向に延びた溝状とすればよい（請求項８の発明）。
【００３０】
［請求項９の発明］
請求項９の水道メータシステムでは、可動筒体を第２の位置にして上流側端部流路と上流側中継流路との間が断絶された場合に、バイパス流路によって上流側端部流路及び下流側端部流路の間が連絡されるので、断水させることなく水道メータを着脱することができる。しかも、バイパス流路は可動筒体に形成されたので、上流側端部流路と下流側端部流路との間を配管部材で連絡した構成に比較して、部材数の削減が図られ、水道メータシステムの寸法を小さくすることができる。
【００３１】
［請求項１０及び１１の発明］
請求項１０の水道メータシステムでは、可動筒体の外径を変更することなくバイパス流路を設けることができる。ここで、バイパス流路は、可動筒体の外周面の全周に亘って延びた環形状であってもよい（請求項１１の発明）。
【００３２】
［請求項１２の発明］
請求項１２の水道メータシステムでは、可動筒体を第２の位置にした場合に、水道水を上流側端部流路から可動筒体を構成する円筒壁部の内部を通して下流側端部流路に流すことができる。
【００３３】
［請求項１３の発明］
請求項１３の水道メータシステムでは、可動筒体が第１の位置に配置され、水道水が順方向に流れると、球体収容部屋に収容された球体が上流側端部流路から流入した水道水に押されて上流側中継流路側へ移動する。このとき球体は、球体当接部によって上流側中継流路の開口縁から離した位置に保持されるので、水道水は、球体収容部屋から上流側中継流路、計測ユニット、下流側中継流路、下流側端部流路の順に通過する。一方、水道水が逆方向に流れると、球体が水道水に押されて上流側端部流路の開口シール部に密着し、水道水が水道メータシステムの上流側へ逆流することが防止される。即ち、球体は逆止弁として機能する。
【００３４】
ところで、可動筒体を第１の位置から第２の位置に移動操作すると、可動筒体に形成されたカム機構により、球体が開口シール部に押し付けられて、上流側端部流路と上流側中継流路との間が断絶され、水道メータシステムの上流側から可動筒体の内部に水道水が流入しなくなる。即ち、逆止弁として機能する球体は、水道メータへの水道水の流入を防止する止水部としても機能する。
【００３５】
［請求項１４の発明］
請求項１４の水道メータシステムでは、可動筒体をメータ受容部内で回動し第２の位置とすると、カム機構によって球体が開口シール部に押し付けられて、上流側端部流路と上流側中継流路との間が断絶する。これにより、上流側から水道メータに水道水が流入しない状態としてから、水道メータを取り外すことができる。
【００３６】
［請求項１５の発明］
請求項１５の水道メータシステムでは、可動筒体をメータ受容部内で第２の位置に向けて回動すると、回動摺接部材がカム中継部材に摺接して、カム中継部材を球体側に直動させる。すると、カム中継部材に押されて球体が開口シール部側に移動し、可動筒体が第２の位置に至ると球体が開口シール部に押し付けられて、上流側端部流路と上流側中継流路との間が断絶する。これにより、上流側から水道メータに水道水が流入しない状態としてから、水道メータを取り外すことができる。
【発明を実施するための最良の形態】
【００３７】
［第１実施形態］
以下、本発明の第１実施形態を図１〜図５に基づいて説明する。図１には、本発明の水道メータシステム１００の全体構造が示されている。水道メータシステム１００のうち中間金具１０Ａは、下端有底の円筒構造をなしたメータ受容部１１Ａの外周面から相反する方向に１対の水道管接続部１１Ｊ，１１Ｋを延設した構造をなし、これら水道管接続部１１Ｊ，１１Ｋが、図示しない水道管に接続される。そして、図１における左側の水道管接続部１１Ｊの内部空間が上流側端部流路１２をなす一方、反対側の水道管接続部１１Ｋの内部空間が下流側端部流路１３をなしている。
【００３８】
メータ受容部１１Ａは円筒内面を備え、その円筒内面のうち、周方向で互いに１８０度離れた位置に上流側端部流路１２及び下流側端部流路１３の各開口１２Ａ，１３Ａが配置されている。メータ受容部１１Ａの上端には開放口１４が形成され、この開放口１４から水道メータ２０Ａを収容した可動筒体３０Ａが挿入されている。そして可動筒体３０Ａはメータ受容部１１Ａに対して通水位置（本発明の「第１の位置」に相当する）と止水位置（本発明の「第２の位置」に相当する）との間で回動可能に嵌合されている。
【００３９】
水道メータ２０Ａは円柱構造をなし、下端部寄り部分に計量流路２１を備える。計量流路２１は水道メータ２０Ａを径方向に貫通しており、この計量流路２１を流れる水道水の通過体積が、所謂、超音波、電磁誘導又は羽根車（図示せず）を利用して計量される。水道メータ２０Ａの下端部中央には、水道メータ２０Ａと後述する可動筒体３０Ａとを一体回動可能に連結する断面非円形の連結凸部２２が形成されている。
【００４０】
水道メータ２０Ａの上部には、外周面の全周に亘ってＯリング溝が形成され、ここに装着されたＯリング２３Ａが可動筒体３０Ａの内面に密着している。また、水道メータ２０Ａの上端部には表示ユニットＭが一体に設けられて中間金具１０Ａから露出しており、図示しないが、周縁部がメータ受容部１１Ａの上端部に係止されている。そして水道メータ２０Ａで計測された水道水の通過体積がこの表示ユニットＭにて表示される。なお、水道メータ２０Ａと中間金具１０Ａとの間は、常には図示しない取り外し防止部材によって連結されており、正規の作業者ではない者によって不正に水道メータ２０Ａが取り外されることが防止されている。 
【００４１】
さて、可動筒体３０Ａは、以下のようである。可動筒体３０Ａは下端有底の円筒形状をなして水道メータ２０Ａのほぼ全体を収容し、その周方向で互いに１８０度離れた位置に、可動筒体３０Ａの円筒壁部を貫通した上流側中継流路３１Ａ及び下流側中継流路３１Ｂが形成されている。
【００４２】
図２に示すように、可動筒体３０Ａの外周面には両中継流路３１Ａ，３１Ｂの各開口を囲むようにＯリング溝が形成され、ここにＯリング３３Ｂ，３３Ｂが装着されている。また、両中継流路３１Ａ，３１Ｂが設けられた部分よりも上側部分と下側部分とには、可動筒体３０Ａの外周面の全周に亘ってＯリング溝が形成され、ここにＯリング３３Ａ，３３Ａが装着されている。これらＯリング３３Ａ，３３Ｂはメータ受容部１１Ａの内面に押し潰されて密着している。
【００４３】
可動筒体３０Ａの内面底部には、連結凹部３５が陥没形成され、ここに水道メータ２０Ａの連結凸部２２が凹凸嵌合している。ここで、連結凹部３５と連結凸部２２とが凹凸嵌合すると、水道メータ２０Ａの計量流路２１と可動筒体３０Ａの上流側中継流路３１Ａ及び下流側中継流路３１Ｂとが同軸線上に位置決めされる。
【００４４】
図１に示すように、可動筒体３０Ａの下面は、中央部から周縁部に向かうに従って、メータ受容部１１Ａの底面から離れるように緩やかに傾斜している。即ち、可動筒体３０Ａの下面中央部がメータ受容部１１Ａの底面に接触し、その外側部分がメータ受容部１１Ａの底面から浮いている。これにより、可動筒体３０Ａの下面全体がメータ受容部１１Ａの底面に接触したものに比べて、可動筒体３０Ａをメータ受容部１１Ａに対して回動させる際に可動筒体３０Ａの下面にかかる摩擦が軽減され、可動筒体３０Ａを回動させ易くなっている。
【００４５】
なお、可動筒体３０Ａは、通常使用時にはメータ受容部１１Ａの上端部に螺合された連結ナット８０により、メータ受容部１１Ａに対して抜け止めされている。
【００４６】
本実施形態の水道メータシステム１００に関する構成は以上であり、以下動作について説明する。
【００４７】
水道水の通過体積を計量する場合には、可動筒体３０Ａを通水位置に配置する。具体的には、例えば水道メータ２０Ａの表示ユニットＭに付された目印をメータ受容部１１Ａに付された通水位置用の目印に一致させる。すると、図３に示すように、中間金具１０Ａの上流側端部流路１２及び下流側端部流路１３と、可動筒体３０Ａの上流側中継流路３１Ａ及び下流側中継流路３１Ｂと、水道メータ２０Ａの計量流路２１とが同軸線上に配置される。即ち、水道水が上流側端部流路１２から計量流路２１を通過して下流側端部流路１３に向かって流れて、計量流路２１を通過する際に水道水の通過体積が計量される。
【００４８】
さて、水道メータ２０Ａを検査或いは交換する場合には以下の手順により、水道メータ２０Ａを中間金具１０Ａから取り外す。まず、表示ユニットＭを把持して、水道メータ２０Ａをメータ受容部１１Ａに対して回動操作する。具体的には、例えば、表示ユニットＭの目印をメータ受容部１１Ａに付された止水位置用の目印に近づける。すると、可動筒体３０Ａが水道メータ２０Ａと一体に回動し、可動筒体３０Ａの上流側中継流路３１Ａ及び下流側中継流路３１Ｂが中間金具１０Ａの上流側端部流路１２及び下流側端部流路１３に対して徐々にずらされる。そして、可動筒体３０Ａが止水位置に至ると、図４に示すように、上流側端部流路１２及び下流側端部流路１３の各開口１２Ａ，１３Ａが可動筒体３０Ａの外面で塞がれて、上流側端部流路１２と上流側中継流路３１Ａとの間、及び、下流側中継流路３１Ｂと下流側端部流路１３との間が断絶する。この状態で表示ユニットＭの周縁部とメータ受容部１１Ａとの係止を解除し、表示ユニットＭを把持して上方に引き上げる。すると、図５に示すように、可動筒体３０Ａの上端開口３２から水道メータ２０Ａが抜き取られる。このとき、水道水は上流側端部流路１２及び下流側端部流路１３の内部で堰き止められて可動筒体３０Ａの内側に流れ込むことはない。
【００４９】
検査の済んだ水道メータ２０Ａ或いは新規な水道メータ２０Ａは、可動筒体３０Ａの上端開口３２から挿入して、水道メータ２０Ａの連結凸部２２と可動筒体３０Ａの連結凹部３５とを凹凸嵌合させる。そして、表示ユニットＭを把持して水道メータ２０Ａを回動操作すれば、可動筒体３０Ａが一体に回動する。そして、可動筒体３０Ａを通水位置に戻せば、水道メータ２０Ａの計量流路２１に再び通水されて、水道水の通過体積が計量可能となる。
【００５０】
このように、本実施形態によれば、可動筒体３０Ａを止水位置に配置すると可動筒体３０Ａが止水部として機能して、水道メータ２０Ａよりも上流側と下流側との両方から水道水が可動筒体３０Ａの内側に流れ込まなくなる。これにより、中間金具１０Ａから水道水を漏出させることなく水道メータ２０Ａを取り外すことができる。しかも、止水部として機能する可動筒体３０Ａは、メータ受容部１１Ａの内側に配置されているので、止水部とメータ受容部とを水道管との接続方向に横並びに配置した従来の水道メータシステムに比較して全長を短くすることができる。従って、従来の止水部を備えた水道メータシステムに比べて設置スペースを省スペース化できる。
【００５１】
［第２実施形態］
本発明の第２実施形態を図６〜図１０に基づいて説明する。なお、第１実施形態と同じ構成については同一符号を付す。
【００５２】
図６には、本実施形態に係る水道メータシステム２００の全体構造が示されている。水道メータシステム２００のうち中間金具１０Ｂは、下端有底の円筒構造をなしたメータ受容部１１Ｂの外周面から相反する方向に１対の水道管接続部１１Ｊ，１１Ｋを延設した構造をなし、これら水道管接続部１１Ｊ，１１Ｋが、図示しない水道管に接続される。そして、図６における左側の水道管接続部１１Ｊの内部空間が上流側端部流路１２をなす一方、反対側の水道管接続部１１Ｋの内部空間が下流側端部流路１３をなしている。
【００５３】
メータ受容部１１Ｂは上端から下端に向かうに従って緩やかに縮径した円筒内面を備え、その円筒内面のうち、周方向で互いに１８０度離れた位置に上流側端部流路１２及び下流側端部流路１３の各開口１２Ａ，１３Ａが配置されている。メータ受容部１１Ｂの上端には開放口１４が形成され、この開放口１４から水道メータ２０Ｂを収容した可動筒体３０Ｂが挿入されている。そして可動筒体３０Ｂはメータ受容部１１Ｂに対して通水位置と止水位置との間で回動可能に嵌合されている。なお、メータ受容部１１Ｂの上端内周面に嵌合されたＣリング１５が可動筒体３０Ｂを抜け止めしている。
【００５４】
水道メータ２０Ｂは、上端から下端に向かうに従って緩やかに縮径した円柱構造をなし、上端寄り部分に計量流路２１を備える。計量流路２１は水道メータ２０Ｂを径方向に貫通しており、この計量流路２１を流れる水道水の通過体積が、所謂、超音波、電磁誘導又は羽根車を利用して計量される。
【００５５】
図６に示すように、水道メータ２０Ｂの上端部には外周面の全周に亘ってＯリング溝が形成され、ここに装着されたＯリング２３Ａが可動筒体３０Ｂの内周面に密着している。また、図１０に示すように、水道メータ２０Ｂの外周面のうち、周方向で互いに１８０度離れた位置には、水道メータ２０Ｂと後述する可動筒体３０Ｂとを一体回動可能に連結した１対の連結凸部２４，２４が設けられている。
【００５６】
さらに、水道メータ２０Ｂの上端には水道水の計量結果を表示するための表示ユニットＭが一体に設けられて中間金具１０Ｂから露出している。表示ユニットＭには、所謂、バヨネット式の係止構造が備えられ、周縁部に形成された複数の係止爪によりメータ受容部１１Ｂの上端縁に係止されている。
【００５７】
さて、可動筒体３０Ｂは以下のようである。可動筒体３０Ｂは下端有底の円筒構造をなし、メータ受容部１１Ｂ及び水道メータ２０Ｂの形状に対応して上端から下端に向かって緩やかに縮径している。可動筒体３０Ｂのうち、その周方向で互いに１８０度離れた位置には、可動筒体３０Ｂの円筒壁部を貫通した上流側中継流路３１Ａ及び下流側中継流路３１Ｂが形成されている。
【００５８】
図６に示すように、可動筒体３０Ｂの上端には外周面の全周に亘ってＯリング溝が形成され、ここに装着されたＯリング３３Ａがメータ受容部１１Ｂの内面に密着している。また、図１０に示すように、可動筒体３０Ｂの内面の周方向で互いに１８０度離れた位置には、１対の連結溝３４，３４が形成され、ここに水道メータ２０Ｂの連結凸部２４，２４が凹凸嵌合している。連結溝３４は可動筒体３０Ｂの軸方向に延びて、上端開口３２側に開放している。連結凸部２４，２４と連結溝３４，３４とが凹凸嵌合すると、水道メータ２０Ｂの計量流路２１と可動筒体３０Ｂの上流側中継流路３１Ａ及び下流側中継流路３１Ｂとが同軸線上に位置決めされる（図６及び図８の状態）。また、これら連結凸部２４，２４と連結溝３４，３４とにより、水道メータ２０Ｂと可動筒体３０Ｂとが一体回動可能されかつ、水道メータ２０Ｂが可動筒体３０Ｂに対して挿抜可能とされている。
【００５９】
可動筒体３０Ｂの下面中央には、メータ受容部１１Ｂの底面に向かって突出したボス３６が形成されている。即ち、可動筒体３０Ｂの下面のうち、ボス３６のみがメータ受容部１１Ｂの底面に接触し、その他の部分がメータ受容部１１Ｂの底面から浮いている。これにより、可動筒体３０Ｂの下面全体がメータ受容部１１Ｂの底面に接触したものに比べて、可動筒体３０Ｂをメータ受容部１１Ｂに対して回動させる際に可動筒体３０Ｂの下面にかかる摩擦が軽減され、可動筒体３０Ｂを回動させ易くなっている。
【００６０】
ところで、可動筒体３０Ｂの外周面にはバイパス流路３７が形成されている。バイパス流路３７は、可動筒体３０Ｂの外周面を半周に亘って陥没させた溝構造をなしている。詳細には、可動筒体３０Ｂのうち、上流側中継流路３１Ａから周方向における一方向（図８における時計回り方向）に約４５度離れた位置にはバイパス入口部３７Ａが形成され、下流側中継流路３１Ｂから周方向における一方向に約４５度離れた位置にはバイパス出口部３７Ｂが形成されている。そして、バイパス流路３７は、バイパス入口部３７Ａから斜め下方に延び、可動筒体３０Ｂの下端寄り部分を周方向に延びて下流側中継流路３１Ｂの下方を通り（図６を参照）、ここから斜め上方に延びてバイパス出口部３７Ｂに繋がっている（図７を参照）。なお、バイパス流路３７は、可動筒体３０Ｂの外周面を全周に亘って陥没させた溝構造をなしていてもよい。
【００６１】
本実施形態の水道メータシステム２００に関する構成は以上であり、以下動作について説明する。水道水の通過体積を計量する場合には、可動筒体３０Ｂを通水位置に配置する。具体的には、例えば、水道メータ２０Ｂの表示ユニットＭに付された目印をメータ受容部１１Ｂに付された通水位置用の目印に一致させる。すると、図６及び図８に示すように、中間金具１０Ｂの上流側端部流路１２及び下流側端部流路１３と、可動筒体３０Ｂの上流側中継流路３１Ａ及び下流側中継流路３１Ｂと、水道メータ２０Ｂの計量流路２１とが同軸線状に配置される。即ち、水道水が上流側端部流路１２から計量流路２１を通過して下流側端部流路１３に向かって流れて、計量流路２１を通過する際に水道水の通過体積が計量される。
【００６２】
さて、水道メータ２０Ｂを検査或いは交換する場合には以下の手順により、水道メータ２０Ｂを中間金具１０Ｂから取り外す。具体的には、まず、可動筒体３０Ｂを通水位置から止水位置に向けて（図８における反時計回り方向）に回動操作する。具体的には、例えば、表示ユニットＭを把持して、その表示ユニットＭに付された目印をメータ受容部１１Ｂに付された止水位置用の目印に近づけるように回動操作する。すると、水道メータ２０Ｂと共に可動筒体３０Ｂが一体回動し、可動筒体３０Ｂの上流側中継流路３１Ａ及び下流側中継流路３１Ｂが中間金具１０Ｂの上流側端部流路１２及び下流側端部流路１３に対して徐々にずらされる。そして、可動筒体３０Ｂが図８における反時計回り方向に約４５度回動されて止水位置に至ると、図９の（Ａ）に示すように、上流側中継流路３１Ａ及び下流側中継流路３１Ｂがメータ受容部１１Ｂの内面で塞がれ、代わりに、上流側端部流路１２の開口１２Ａとバイパス入口部３７Ａ、及び、下流側端部流路１３の開口１３Ａとバイパス出口部３７Ｂとがそれぞれ整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３７により連絡される。このとき、表示ユニットＭに備えたバヨネットとメータ受容部１１Ｂの上端縁との係止が解除されるので、表示ユニットＭを把持して水道メータ２０Ｂを上方に引き上げ、可動筒体３０Ｂの上端開口３２から抜き取る。
【００６３】
このとき、水道水は、可動筒体３０Ｂの内側に流れ込むことはなく、バイパス流路３７を通って上流側端部流路１２から下流側端部流路１３に向けて流される（図９の（Ｂ）を参照）。
【００６４】
検査の済んだ水道メータ２０Ｂ或いは新規な水道メータ２０Ｂは、可動筒体３０Ｂの上端開口３２から挿入して、水道メータ２０Ｂの連結凸部２４，２４と可動筒体３０Ｂの連結溝３４，３４とを凹凸嵌合させる。そして、水道メータ２０Ｂを回動操作（図９の（Ａ）における時計回り方向へ約４５度回動操作）することで可動筒体３０Ｂを止水位置から通水位置に戻せば、再び水道メータ２０Ｂの計量流路２１に通水されて、水道水の通過体積が計量可能となる。
【００６５】
このように、本実施形態の水道メータシステム２００によれば、上記第１実施形態と同等の効果を奏することができる。また、断水させることなく水道メータ２０Ｂの着脱操作を行うことができる。
【００６６】
なお、本実施形態の水道メータシステム２００では、水道メータ２０Ｂの着脱時に断水状態にすることも可能である。具体的には、可動筒体３０Ｂを止水位置とは反対方向（図８における時計回り方向）に約４５度回動すれば、上流側端部流路１２及び下流側端部流路１３の各開口１２Ａ，１３Ａが可動筒体３０Ｂの外面で塞がれて、上流側端部流路１２と下流側端部流路１３との間が断絶する。すると、水道水は上流側端部流路１２及び下流側端部流路１３の内部でそれぞれ堰き止められて可動筒体３０Ｂの内側及びバイパス流路３７に流れ込まなくなる。また、常には、水道メータ２０Ｂと中間金具１０Ｂとの間を図示しない回動禁止部材によって連結して、水道メータ２０Ｂの中間金具１０Ｂに対する回動操作を禁止しておけば、正規の作業者ではない者が水道メータ２０Ｂを回動操作して、水道水が水道メータ２０Ｂを経由せずにバイパス流路３７を経由して不正に供給されることを防止できる。 
【００６７】
［第３実施形態］
本発明の第３実施形態を図１１〜図１５に基づいて説明する。この第３実施形態は、主に、可動筒体の構成を前記第２実施形態と異ならせたものである。以下、前記第２実施形態と同じ構成については、同一符号を付す。
【００６８】
図１１には、本実施形態に係る水道メータシステム３００の全体構造が示されている。水道メータシステム３００のうち中間金具１０Ｃは、下端有底の円筒構造をなしたメータ受容部１１Ｃの外周面から相反する方向に１対の水道管接続部１１Ｊ，１１Ｋを延設した構造をなし、これら水道管接続部１１Ｊ，１１Ｋが、図示しない水道管に接続される。そして、図１１における左側の水道管接続部１１Ｊの内部空間が上流側端部流路１２をなす一方、反対側の水道管接続部１１Ｋの内部空間が下流側端部流路１３をなしている。
【００６９】
メータ受容部１１Ｃは円筒内面を備え、その円筒内面のうち、周方向で互いに１８０度離れた位置に上流側端部流路１２及び下流側端部流路１３の各開口１２Ａ，１３Ａが配置されている。メータ受容部１１Ｃの上端には開放口１４が形成され、この開放口１４から水道メータ２０Ｂを収容した可動筒体３０Ｂが挿入されている。そして、可動筒体３０Ｂはメータ受容部１１Ｃに対して通水位置と止水位置との間で回動可能に嵌合されている。なお、メータ受容部１１Ｃの上端内周面に嵌合されたＣリング１５が可動筒体３０Ｂを抜け止めしている。
【００７０】
水道メータ２０Ｂは、円柱構造をなし、下端寄り部分に計量流路２１を備える。計量流路２１は水道メータ２０Ｂを径方向に貫通しており、この計量流路２１を流れる水道水の通過体積が、所謂、超音波、電磁誘導又は羽根車を利用して計量される。
【００７１】
図１１に示すように、水道メータ２０Ｂの上端には、外周面の全周に亘ってＯリング溝が形成され、ここにＯリング２３Ａが装着されている。また、水道メータ２０Ｂの外面には、計量流路２１の上流側の開口縁を囲むようにＯリング溝が形成され、ここにＯリング２３Ｂが装着されている。これらＯリング２３Ａ，２３Ｂは可動筒体３０Ｂの内周面に押し潰されて密着している。
【００７２】
また、図１０に示すように、水道メータ２０Ｂの外周面のうち、周方向で互いに１８０度離れた位置には、水道メータ２０Ｂと後述する可動筒体３０Ｂとを一体回動可能に連結した１対の連結凸部２４，２４が設けられている。
【００７３】
水道メータ２０Ｂの上端には計量結果を表示するための表示ユニットＭが一体に設けられ中間金具１０Ｂから露出している。表示ユニットＭには、所謂、バヨネット式の係止構造が備えられ、周縁部に形成された複数の係止爪によりメータ受容部１１Ｃの上端縁に係止されている。
【００７４】
さて、可動筒体３０Ｂは、以下のようである。可動筒体３０Ｂは下端有底の円筒形状をなして水道メータ２０Ｂのほぼ全体を収容し、その周方向で互いに１８０度離れた位置に、可動筒体３０Ｂの円筒壁部を貫通した上流側中継流路３１Ａ及び下流側中継流路３１Ｂが形成されている。
【００７５】
図１１に示すように、可動筒体３０Ｂの上端には外周面の全周に亘ってＯリング溝が形成され、ここにＯリング３３Ａが装着されている。また、可動筒体３０Ｂの外周面には、上流側中継流路３１Ａの開口縁を囲むようにＯリング溝が形成され、ここにＯリング３３Ｂが装着されている。これらＯリング３３Ａ，３３Ｂはメータ受容部１１Ｃの内面に押し潰されて密着している。
【００７６】
図１０に示すように、可動筒体３０Ｂの上端内面のうち、周方向で互いに１８０度離れた位置には、１対の連結溝３４，３４が形成されている。連結溝３４は可動筒体３０Ｂの軸方向に延びて、上端開口３２側に開放している。そして、この連結溝３４に水道メータ２０Ｂの連結凸部２４，２４が凹凸嵌合することで、水道メータ２０Ｂの計量流路２１と可動筒体３０Ｂの上流側中継流路３１Ａ及び下流側中継流路３１Ｂとが同一軸線状に配置されるように位置決めされている。また、これら連結溝３４と連結凸部２４，２４とにより、水道メータ２０Ｂと可動筒体３０Ｂとを一体回動可能としつつ、水道メータ２０Ｂを可動筒体３０Ｂに対して挿抜可能としてある。
【００７７】
可動筒体３０Ｂの下面中央には、メータ受容部１１Ｃの底面に向かって突出したボス３６が形成されている。即ち、可動筒体３０Ｂの下面のうち、ボス３６のみがメータ受容部１１Ｃの底面に接触し、その他の部分がメータ受容部１１Ｃの底面から浮いている。これにより、可動筒体３０Ｂの下面全体がメータ受容部１１Ｃの底面に接触したものに比べて、可動筒体３０Ｂをメータ受容部１１Ｃに対して回動させる際に可動筒体３０Ｂの下面にかかる摩擦が軽減され、可動筒体３０Ｂを回動させ易くなっている。
【００７８】
ところで、可動筒体３０Ｂの外周面には、バイパス流路３７が形成されている。バイパス流路３７は、可動筒体３０Ｂの外周面を半周に亘って陥没させた溝構造をなしている。詳細には、可動筒体３０Ｂのうち、上流側中継流路３１Ａから周方向における一方向（図１３における時計回り方向）に約４５度離れた位置には、バイパス入口部３７Ａが形成され、下流側中継流路３１Ｂから周方向における一方向に約４５度離れた位置には、バイパス出口部３７Ｂが形成されている。そして、バイパス流路３７は、バイパス入口部３７Ａから斜め上方に延び、可動筒体３０Ｂの上端寄り部分を周方向に延びて下流側中継流路３１Ｂの上方を通り（図１１を参照）、ここから斜め下方に延びてバイパス出口３７Ｂに繋がっている（図１２を参照）。なお、バイパス流路は、可動筒体３０Ｂの外周面を全周に亘って陥没させた溝構造をなしていてもよい。
【００７９】
可動筒体３０Ｂの外周面のうち、周方向において上流側中継流路３１Ａを挟んでバイパス入口部３７Ａと反対側の部分（図１３において上流側中継流路３１Ａから反時計回り方向に約４５度離れた部分）、及び、下流側中継流路３１Ｂを挟んでバイパス出口部３７Ｂと反対側の部分（図１３において下流側中継流路３１Ｂから反時計回り方向に約４５度離れた部分）には、上流側端部流路１２及び下流側端部流路１３の各開口１２Ａ，１３Ａよりも大きな径を有する環状溝が形成され、ここにＯリング３３Ｃ，３３Ｃが装着されている。Ｏリング３３Ｃ，３３Ｃは、メータ受容部１１Ｃの内面に押し潰されて密着するようになっている。
【００８０】
本実施形態の水道メータシステム３００に関する構成は以上であり、以下動作について説明する。水道水の通過体積を計量する場合には、可動筒体３０Ｂを通水位置に配置する。具体的には、例えば、水道メータ２０Ｂの表示ユニットＭに付された目印をメータ受容部１１Ｂに付された通水位置用の目印に一致させるように水道メータ２０Ｂを回動操作する。すると、水道メータ２０Ｂと共に可動筒体３０Ｂが一体回動し、図１１及び図１３に示すように、中間金具１０Ｃの上流側端部流路１２及び下流側端部流路１３と、可動筒体３０Ｂの上流側中継流路３１Ａ及び下流側中継流路３１Ｂと、水道メータ２０Ｂの計量流路２１とが同軸線上に配置される。即ち、水道水が上流側端部流路１２から計量流路２１を通過して下流側端部流路１３に向かって流れて、計量流路２１を通過する際に水道水の通過体積が計量される。
【００８１】
さて、水道メータ２０Ｂを検査或いは交換する場合には以下の手順により、水道メータ２０Ｂを中間金具１０Ｃから取り外す。まず、可動筒体３０Ｂを通水位置から止水位置に向けて（図１３における反時計回り方向）に回動操作する。具体的には、表示ユニットＭを把持して、表示ユニットＭの目印をメータ受容部１１Ｂに付された止水位置用の目印に近づけるように水道メータ２０Ｂを回動操作する。すると、可動筒体３０Ｂが水道メータ２０Ｂと一体に回動し、可動筒体３０Ｂの上流側中継流路３１Ａ及び下流側中継流路３１Ｂが中間金具１０Ｃの上流側端部流路１２及び下流側端部流路１３に対して徐々にずらされる。そして、可動筒体３０Ｂが図１３における反時計回り方向に約４５度回動されて止水位置に至ると、図１４の（Ａ）に示すように、上流側中継流路３１Ａ及び下流側中継流路３１Ｂがメータ受容部１１Ｃの内面で塞がれ、代わりに、上流側端部流路１２の開口１２Ａとバイパス入口部３７Ａ、及び、下流側端部流路１３の開口１３Ａとバイパス出口部３７Ｂとが整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３７により連絡される。このとき、表示ユニットＭに備えたバヨネットとメータ受容部１１Ｂの上端縁との係止が解除されるので、水道メータ２０Ｂを上方に引き上げ、可動筒体３０Ｂの上端開口３２から抜き取る。
【００８２】
このとき、水道水は、可動筒体３０Ｂの内側に流れ込むことはなく、バイパス流路３７を通って上流側端部流路１２から下流側端部流路１３に向けて流される（図１４の（Ｂ）を参照）。
【００８３】
また、水道メータ２０Ｂの着脱操作時に断水状態にする場合は、可動筒体３０Ｂを通水位置から、止水位置とは反対方向（図１３における時計回り方向）に約４５度回動する。すると、図１５に示すように、上流側端部流路１２及び下流側端部流路１３の各開口１２Ａ，１３Ａが可動筒体３０Ｂの外面で塞がれて、上流側端部流路１２と下流側端部流路１３との間が断絶する。そして、水道水は上流側端部流路１２及び下流側端部流路１３の内部で堰き止められて可動筒体３０Ｂの内側及びバイパス流路３７に流れ込まなくなる。
【００８４】
このとき、可動筒体３０Ｂの外面に装着されたＯリング３３Ｃ，３３Ｃが、上流側端部流路１２及び下流側端部流路１３の各開口１２Ａ，１３Ａを囲むようにメータ受容部１１Ｃの内面に密着するので、堰き止められた水道水がメータ受容部１１Ｃと可動筒体３０Ｂとの隙間に浸入することが防がれる。
【００８５】
検査の済んだ水道メータ２０Ｂ或いは新規な水道メータ２０Ｂは、可動筒体３０Ｂの上端開口３２から挿入して、水道メータ２０Ｂの連結凸部２４，２４と可動筒体３０Ｂの連結溝３４とを凹凸嵌合させ、Ｃリング１５で固定する。そして、水道メータ２０Ｂを回動操作することで可動筒体３０Ｂを通水位置に戻せば、再び水道メータシステム３００の計量流路２１に通水されて、水道水の通過体積が計量可能となる。
【００８６】
本実施形態の水道メータシステム３００によれば、上記第２実施形態と同等の効果を奏することができる。
【００８７】
［第４実施形態］
本発明の第４実施形態を図１６〜図２０に基づいて説明する。なお、前記第１〜第３実施形態と同じ構成については、同一符号を付す。
【００８８】
図１６には、本実施形態に係る水道メータシステム４００の全体構造が示されている。水道メータシステム４００のうち中間金具１０Ｄは、下端有底の円筒形状をなしたメータ受容部１１Ｄの外周面から相反する方向に１対の水道管接続部１１Ｊ，１１Ｋを延設した構造をなし、これら水道管接続部１１Ｊ，１１Ｋが、図示しない水道管に接続される。水道管接続部１１Ｊ，１１Ｋのメータ受容部１１Ｄ寄り部分は、メータ受容部１１Ｄに近づくに従って窄んで内部空間を徐々に絞った構造をなしている。そして、図１６における左側の水道管接続部１１Ｊの内部空間が上流側端部流路１２をなす一方、反対側の水道管接続部１１Ｋの内部空間が下流側端部流路１３をなしている。
【００８９】
メータ受容部１１Ｄは円筒内面を備え、その円筒内面のうち、周方向で互いに１８０度離れた位置に上流側端部流路１２及び下流側端部流路１３の各開口１２Ａ，１３Ａが配置されている。これら各開口１２Ａ，１３Ａは、図１８の（Ｂ）に示すように、横長の矩形状をなしている。
【００９０】
図２０の（Ａ）に示すように、メータ受容部１１Ｄの周壁にはパッキン着脱用窓１１Ｒが貫通形成されている。パッキン着脱用窓１１Ｒは、両水道管接続部１１Ｊ，１１Ｋから９０度ずつ離れた位置に設けられている。パッキン着脱用窓１１Ｒは横長矩形状をなし、通常使用時は蓋体１１Ｓによって塞がれている（図１８の（Ａ）を参照）。
【００９１】
メータ受容部１１Ｄの底壁には位置決め凸部１１Ｐが設けられている。位置決め凸部１１Ｐはメータ受容部１１Ｄの底壁から起立してメータ受容部１１Ｄの径方向（図１６における紙面に直交する方向）に延びた壁構造をなしている。
【００９２】
メータ受容部１１Ｄの上端には開放口１４が形成され、その開放口１４から水道メータ２０Ｄを収容した可動筒体３０Ｄが挿入されている。そして可動筒体３０Ｄは、メータ受容部１１Ｄに対して後述する通水位置と止水位置との間で回動可能に嵌合されている。
【００９３】
水道メータ２０Ｄは、メータ受容部１１Ｄよりも長い円柱構造をなし、下端寄り部分に水道メータ２０Ｄを径方向に貫通した計量流路２１を備える。計量流路２１は、幅方向の寸法に比べて高さ方向の寸法が短い断面扁平空間で構成され、この計量流路２１を流れる水道水の通過体積が、所謂、超音波、電磁誘導又は羽根車を利用して計量される。水道メータ２０Ｄの外周面で、計量流路２１よりも上側部分と下側部分とには、外周面の全周に亘ってＯリング溝が形成され、ここに装着されたＯリング２３Ｃ，２３Ｃが可動筒体３０Ｄの内面に密着している。さらに、水道メータ２０Ｄの下面中央には、位置決め凹部２５が形成され、ここにメータ受容部１１Ｄの位置決め凸部１１Ｐが凹凸嵌合している（図１６及び図１７を参照）。位置決め凹部２５と位置決め凸部１１Ｐとが凹凸嵌合すると、水道メータ２０Ｄの計量流路２１と、上流側端部流路１２及び下流側端部流路１３の各開口１２Ａ，１３Ａとが同軸線上に配置されかつ、水道メータ２０Ｄがメータ受容部１１Ｄに対して回り止めされる。
【００９４】
水道メータ２０Ｄの上端には水道水の計量結果を表示するための表示ユニットＭが一体に設けられている。表示ユニットＭは、水道メータ２０Ｄよりも径の大きい扁平な円柱構造をなしている。そして、通常使用時には、表示ユニットＭの周縁部に係止された連結ナット８１が次述する可動筒体３０Ｄの上端部に締め付けられて、水道メータ２０Ｄと可動筒体３０Ｄとが一体に固定されている。なお、水道メータ２０Ｄと中間金具１０Ｄとの間は、常には図示しない取り外し防止部材によって連結されており、正規の作業者ではない者によって不正に水道メータ２０Ｄが取り外されることが防止されている。 
【００９５】
さて、可動筒体３０Ｄは、以下のようである。可動筒体３０Ｄは、メータ受容部１１Ｄよりも長い両端開放の円筒構造をなし、その周方向で互いに１８０度離れた位置には、可動筒体３０Ｄの円筒壁部を貫通した上流側中継流路３１Ａ及び下流側中継流路３１Ｂが形成されている。これら上流側中継流路３１Ａ及び下流側中継流路３１Ｂは、計量流路２１と同様に、幅方向の寸法に比べて高さ方向の寸法が短い断面扁平空間で構成されている。
【００９６】
図１９に示すように、可動筒体３０Ｄの外面には、両中継流路３１Ａ，３１Ｂの各開口を囲むようにパッキン装着溝が形成され、ここに装着されたパッキン３３Ｄ，３３Ｄがメータ受容部１１Ｄの内面に密着するようになっている（図１６を参照）。
【００９７】
可動筒体３０Ｄのうち中間金具１０Ｄの開放口１４から露出した部分には固定用フランジ部３９Ａが形成され、この固定用フランジ３９Ａがメータ受容部１１Ｄの上端部に突き当たっている。また、固定用フランジ３９Ａの上方には、側方に張り出した操作用グリップ３９Ｂ（本発明の「筒体操作部」に相当する）が設けられ、操作用グリップ３９Ｂと固定用フランジ３９Ａとの間の溝部に連結ナット８０が係止されている。そして通常使用時には、この連結ナット８０がメータ受容部１１Ｄの上端部に締め付けられて、可動筒体３０Ｄがメータ受容部１１Ｄに対して回動不能に固定されている。
【００９８】
ところで、可動筒体３０Ｄを構成する円筒壁部の内部にはバイパス流路３８が形成されている。図２０の（Ａ）に示すように、バイパス流路３８は、可動筒体３０Ｄのほぼ半周に亘って延びている。
【００９９】
詳細には、上流側中継流路３１Ａから周方向における一方向（図２０（Ａ）における時計回り方向）に約９０度離れた位置と、下流側中継流路３１Ｂから周方向における一方向に約９０度離れた位置とには、バイパス流路３８の端部空間３８Ａ，３８Ａが形成され、これら両端部空間３８Ａ，３８Ａを１対の閉塞流路３８Ｃ，３８Ｃによって連絡した構造をなす。
【０１００】
図１７に示すように、両端部空間３８Ａ，３８Ａは、奥行き幅が上下方向の幅に比べて薄い扁平空間となっており、メータ受容部１１Ｄの内面側に開口している。これら両端部空間３８Ａ，３８Ａの開口は、上流側端部流路１２及び下流側端部流路１３の各開口１２Ａ，１３Ａの形状に対応して横長矩形状をなしている。
【０１０１】
一方、図１６に示すように、閉塞流路３８Ｃ，３８Ｃは周囲を円筒壁部によって塞がれており、幅寸法に比べて上下寸法が短い扁平空間となっている。閉塞流路３８Ｃ，３８Ｃは、図２０の（Ａ）に示すように、円筒壁部の内部を可動筒体３０Ｄの周方向に沿って円弧状に延びかつ、図２０の（Ｂ）に示すように、可動筒体３０Ｄの円筒壁部の内部で上流側中継流路３１Ａを上下方向から挟むように立体交差して互いに平行となっている。
【０１０２】
図１９に示すように、可動筒体３０Ｄの外周面には、バイパス流路３８の両端部空間３８Ａ，３８Ａの開口を囲むように、パッキン３３Ｅ，３３Ｅが装着されている。これらパッキン３３Ｅ，３３Ｅは、可動筒体３０Ｄの外周面に陥没形成されたパッキン装着溝に嵌合され、メータ受容部１１Ｄの内面に密着するようになっている。
。
【０１０３】
本実施形態の水道メータシステム４００に関する構成は以上であり、以下動作について説明する。水道水の通過体積を計量する場合には、可動筒体３０Ｄを通水位置に配置する。具体的には、例えば、可動筒体３０Ｄに付された位置決め用の目印を中間金具１０Ｄに付された通水位置用の目印に一致させる。すると、図１６に示すように、中間金具１０Ｄの上流側端部流路１２及び下流側端部流路１３の各開口１２Ａ，１３Ａと、可動筒体３０Ｄの上流側中継流路３１Ａ及び下流側中継流路３１Ｂと、水道メータ２０Ｄの計量流路２１とが同一軸線上に配置される。即ち、水道水が上流側端部流路１２から計量流路２１を通って下流側端部流路１３に向かって流れて、計量流路２１を通過する際に水道水の通過体積が計量される。
【０１０４】
さて、水道メータ２０Ｄを検査或いは交換する場合には、以下の手順により水道メータ２０Ｄを中間金具１０Ｄから取り外す。まず連結ナット８０，８１を緩めて、可動筒体３０Ｄをメータ受容部１１Ｄ及び水道メータ２０Ｄに対して回動可能な状態とする。次に、可動筒体３０Ｄの操作用グリップ３９Ｂを工具或いは手で把持して通水位置から止水位置に向けて回動操作する。具体的には、例えば、可動筒体３０Ｄの目印をメータ受容部１１Ｄに付された止水位置用の目印に近づける。すると、可動筒体３０Ｄが水道メータ２０Ｄの外面とメータ受容部１１Ｄの内面とに摺接しながら回動し、上流側中継流路３１Ａが上流側端部流路１２の開口１２Ａに対してずらされると共に、下流側中継流路３１Ｂが下流側端部流路１３の開口１３Ａに対してずらされる。
【０１０５】
そして、可動筒体３０Ｄが通水位置から約９０度回転されて止水位置になると（図２０の（Ａ）の状態）、上流側端部流路１２の開口１２Ａには、上流側中継流路３１Ａの代わりにバイパス流路３８の一方の端部空間３８Ａが整合し、下流側端部流路１３の開口１３Ａには、下流側中継流路３１Ｂの代わりにバイパス流路３８の他方の端部空間３８Ａが整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３８により連絡される。この状態で、連結ナット８１を取り外して水道メータ２０Ｄ及び表示ユニットＭを可動筒体３０Ｄの上端開口３２から上方へ引き抜く。このとき、水道水は、可動筒体３０Ｄの内側に流れ込むことはなく、バイパス流路３８を通って上流側端部流路１２から下流側端部流路１３に向けて流される（図２０の（Ｂ）を参照）。
【０１０６】
検査の済んだ水道メータ２０Ｄ或いは新規な水道メータ２０Ｄは、可動筒体３０Ｄの上端開口３２から挿入して、水道メータ２０Ｄの位置決め凹部２５とメータ受容部１１Ｄの位置決め凸部１１Ｐとを凹凸嵌合させる。次に、可動筒体３０Ｄを、水道メータ２０Ｄの取り外し時とは反対方向に９０度回動して通水位置に戻し、最後に、連結ナット８０，８１を締め付ければ、再び水道メータシステム４００の計量流路２１に通水されて、水道水の通過体積が計量可能となる。
【０１０７】
ところで、本実施形態の水道メータシステム４００によれば、可動筒体３０Ｄの外周面に装着されたパッキン３３Ｄ，３３Ｅを中間金具１０Ｄの外部からメンテナンスすることができる。具体的には、例えば、可動筒体３０Ｄを通水位置に配置した状態で蓋体１１Ｓを取り外すと、パッキン着脱用窓１１Ｒから、バイパス流路３８の端部空間３８Ａ，３８Ａの開口を囲んだパッキン３３Ｅ，３３Ｅの何れか一方が中間金具１０Ｄの外部に露出される。そして、パッキン着脱用窓１１Ｒを介して、そのパッキン３３Ｅを点検・交換する。このとき、水道水は、上流側中継流路３１Ａ及び下流側中継流路３１Ｂと、計量流路２１とを通って下流側に流されている。
【０１０８】
パッキン３３Ｅの点検・交換が終わったら、可動筒体３０Ｄを９０度回転させて止水位置にする（図２０の（Ａ）の状態）。すると、上流側中継流路３１Ａ又は下流側中継流路３１Ｂの開口を囲んだパッキン３３Ｄ，３３Ｄの何れか一方がパッキン着脱用窓１１Ｒから外部に露出される。そして、パッキン着脱用窓１１Ｒを介してこのパッキン３３Ｄを点検・交換する。このとき、水道水はバイパス流路３８を通って下流側に流されている。
【０１０９】
以下同様に、可動筒体３０Ｄを一方向に９０度回転させる毎にパッキン着脱用窓１１Ｒからパッキン３３Ｅとパッキン３３Ｄとが交互に露出するので、その都度、点検・交換を行う。全てのパッキン３３Ｄ，３３Ｅの点検・交換が終わったら最後にパッキン着脱用窓１１Ｒに蓋体１１Ｓを取り付けてパッキン３３Ｄ，３３Ｅのメンテナンス作業は終了である。
【０１１０】
このように、本実施形態によれば、上記第２，第３実施形態と同等の効果を奏すると共に、断水させることなくパッキン３３Ｄ，３３Ｅのメンテナンス作業を行うことができる。
【０１１１】
［第５実施形態］
本発明の第５実施形態を図２１に基づいて説明する。なお、前記第１〜第４実施形態と同じ構成については、同一符号を付す。
【０１１２】
本実施形態の水道メータシステム５００のうち中間金具１０Ｅは、円筒構造をなしたメータ受容部１１Ｅの外周面から相反する方向に１対の水道管接続部１１Ｊ，１１Ｋを延設した構造をなし、これら水道管接続部１１Ｊ，１１Ｋが、図示しない水道管に接続される。そして、図２１における左側の水道管接続部１１Ｊの内部空間が上流側端部流路１２をなす一方、反対側の水道管接続部１１Ｋの内部空間が下流側端部流路１３をなしている。
【０１１３】
メータ受容部１１Ｅは円筒内面を備え、その円筒内面のうち周方向で互いに１８０度離れた位置に上流側端部流路１２及び下流側端部流路１３の各開口１２Ａ，１３Ａが配置されている。メータ受容部１１Ｅの上端には開放口１４が形成され、この開放口１４から水道メータ２０Ｅを収容した可動筒体３０Ｅが挿入される。そして可動筒体３０Ｅは、メータ受容部１１Ｅの内側において、通水位置と止水位置との間で回動可能に嵌合されている。
【０１１４】
メータ受容部１１Ｅの底壁中央には、可動筒体突入孔１１Ｍが設けられ、その側方には、水道メータ位置決め孔１１Ｌが設けられている。また、メータ受容部１１Ｅの底壁内面に敷設された図示しない滑りシートにより可動筒体３０Ｅをメータ受容部１１Ｅに対して回動した際の可動筒体３０Ｅの下面にかかる摩擦が軽減されている
【０１１５】
水道メータ２０Ｅは略円柱構造をなし、上端部に表示ユニットＭを備えると共に表示ユニットＭの真下位置に計量流路２１を備える。表示ユニットＭは、水道メータ２０Ｅの上端部に形成された陥没凹所に嵌め込まれて、例えば、スナップフィット８５及び押さえナット８５により水道メータ２０Ｅに取り付けられている。
【０１１６】
計量流路２１は水道メータ２０Ｅを径方向に貫通しており、この計量流路２１を通過する水道水の通過体積が計量される。ここで、本実施形態の水道メータ２０Ｅの主要部は、所謂、軸流羽根車式流量計で構成されている。即ち、計量流路２１の内側には、計量流路２１の軸線方向（図２１における左右方向）に軸支された羽根車８３が備えられている。そして、羽根車８３の回転数を羽根車８３の外縁部に備えたマグネット８３Ｍと、表示ユニットＭの下端部に備えた磁気センサー８４とで検出し、その回転数に基づいて通過体積を算出して表示ユニットＭにて表示している。なお、水道メータ２０Ｅの主要部を、所謂、超音波式流量計又は電磁式流量計としてもよい。
【０１１７】
水道メータ２０Ｅのうち計量流路２１よりも上側部分と下側部分とには、水道メータ２０Ｅの外周面の全周に亘ってＯリング溝が形成され、ここに装着されたＯリング２３Ｃ，２３Ｃが可動筒体３０Ｅの内面に密着している。
【０１１８】
水道メータ２０Ｅの下面には、位置決め凸部２６が形成されている。位置決め凸部２６は、可動筒体３０Ｅの底部を貫通してメータ受容部１１Ｅに形成された位置決め孔１１Ｌに嵌合している。位置決め凸部２６と位置決め孔１１Ｌとが凹凸嵌合すると、水道メータ２０Ｅの計量流路２１が上流側端部流路１２及び下流側端部流路１３と同軸線上に配置されかつ、水道メータ２０Ｅがメータ受容部１１Ｅに対して回り止めされる。なお、表示ユニットＭが一体に設けられた水道メータ２０Ｅは、メータ受容部１１Ｅの開放口１４に螺合した押さえナット８５に係止されて、メータ受容部１１Ｅからの抜け止めが図られている。以上が水道メータ２０Ｅの説明である。なお、水道メータ２０Ｅと中間金具１０Ｅとの間は、常には図示しない取り外し防止部材によって連結されており、正規の作業者ではない者によって不正に水道メータ２０Ｅが取り外されることが防止されている。 
【０１１９】
さて、水道メータ２０Ｅを収容した可動筒体３０Ｅは、以下のようである。可動筒体３０Ｅは全体として下端有底の円筒形状をなし、その周方向で互いに１８０度離れた位置に、可動筒体３０Ｅの円筒壁部を貫通した上流側中継流路３１Ａ及び下流側中継流路３１Ｂが形成されている。
【０１２０】
可動筒体３０Ｅの上端部と下端部とには、可動筒体３０Ｅの外周面の全周に亘ってＯリング溝が形成され、ここにＯリング３３Ａ，３３Ａが装着されている。また、可動筒体３０Ｅの外周面には上流側中継流路３１Ａ及び下流側中継流路３１Ｂの開口を囲むようにＯリング溝が形成され、ここにもＯリング３３Ｂ，３３Ｂが装着されている。そして、これらＯリング３３Ａ，３３Ｂがメータ受容部１１Ｅの内面に密着している。
【０１２１】
可動筒体３０Ｅは、メータ受容部１１Ｅの上端内周面に嵌合されたＣリング１５により抜け止めされている。また、Ｃリング１５と可動筒体３０Ｅとの間には、例えば、ゴム製の押さえリング８２が挟まれており、可動筒体３０Ｅの上下方向におけるがたつきが防止されている。さらに押さえリング８２と可動筒体３０Ｅとの間には挟まれた図示しない滑りシートにより、可動筒体３０Ｅをメータ受容部１１Ｅに対して回動した際の可動筒体３０Ｅの上端面にかかる摩擦が軽減されている。
【０１２２】
可動筒体３０Ｅの底部は、メータ受容部１１Ｅの可動筒体突入孔１１Ｍに突入してメータ受容部１１Ｅの下面側に露出しており、この露出部分に可動筒体３０Ｅを回動操作するための操作レバー４０が備えられている。即ち、中間金具１０Ｅの外部から直接、可動筒体３０Ｅを回動操作可能となっている。なお、操作レバー４０は可動筒体３０Ｅに対して着脱可能であってもよい。
【０１２３】
本実施形態の水道メータシステム５００に関する構成は以上であり、以下動作について説明する。水道水の通過体積を計量する場合には、可動筒体３０Ｅを通水位置に配置する。具体的には、例えば図２１に示すように、操作レバー４０を水道管接続部１１Ｊ，１１Ｋに対して略平行にし、中間金具１０Ｅの上流側端部流路１２及び下流側端部流路１３と、可動筒体３０Ｅの上流側中継流路３１Ａ及び下流側中継流路３１Ｂと、水道メータ２０Ｅの計量流路２１とを同軸線上に配置させる。すると、水道水が上流側端部流路１２から計量流路２１を通過して下流側端部流路１３に向かって流れて、計量流路２１を通過する際に羽根車８３を回転させることで水道水の通過体積が計量される。
【０１２４】
さて、水道メータ２０Ｅを検査或いは交換する場合には以下の手順により水道メータ２０Ｅを中間金具１０Ｅから取り外す。まず、操作レバー４０を操作して可動筒体３０Ｅを通水位置から止水位置に向けて回動させる。すると、可動筒体３０Ｅがメータ受容部１１Ｅと水道メータ２０Ｅとの間で摺動して、可動筒体３０Ｅの上流側中継流路３１Ａ及び下流側中継流路３１Ｂが中間金具１０Ｅの上流側端部流路１２及び下流側端部流路１３に対して徐々にずらされる。操作レバー４０を通水位置から所定角度（例えば、約９０度）回動させて止水位置に至ると、上流側端部流路１２と計量流路２１との間、及び、計量流路２１と下流側中継流路３１Ｂとの間に可動筒体３０Ｅを構成する円筒壁部が配置され、上流側端部流路１２と下流側中継流路３１Ｂとの間が断絶される。この状態で、押さえナット８５を取り外し、表示ユニットＭを把持して上方に引き上げると、水道メータ２０Ｅがメータ受容部１１Ｅから引き抜かれる。このとき、水道水は上流側端部流路１２及び下流側端部流路１３の内部で堰き止められて可動筒体３０Ｅの内側に流入することはない。
【０１２５】
検査の済んだ水道メータ２０Ｅ或いは新規な水道メータ２０Ｅは、可動筒体３０Ｅの上端開口３２から挿入して、水道メータ２０Ｅの位置決め凸部２６とメータ受容部１１Ｅの位置決め孔１１Ｌとが凹凸嵌合するように嵌め込む。次いで、押さえナット８５をメータ受容部１１Ｅの上端部に螺合して水道メータ２０Ｅを抜け止めする。最後に、操作レバー４０を回動操作して可動筒体３０Ｅを通水位置に戻せば、再び水道メータ２０Ｅの計量流路２１に通水されて、水道水の通過体積が計量可能となる。
【０１２６】
本実施形態によれば、上記第１実施形態と同等の効果を奏する。また、中間金具１０Ｅの内部に収容された可動筒体３０Ｅを、中間金具１０Ｅの外部から直接、回動操作できるので、通水位置と止水位置との切り替えを比較的容易に行うことができる。
【０１２７】
［第６実施形態］
本発明の第６実施形態を図２２〜図２６に基づいて説明する。なお、前記第１〜第５実施形態と同じ構成については、同一符号を付す。
【０１２８】
図２２には、本実施形態に係る水道メータシステム６００の全体構造が示されている。水道メータシステム６００のうち中間金具１０Ｆは、下端有底の円筒構造をなしたメータ受容部１１Ｆの外周面から相反する方向に１対の水道管接続部１１Ｊ，１１Ｋを延設した構造をなし、これら水道管接続部１１Ｊ，１１Ｋが、図示しない水道管に接続される。そして、図２２における左側の水道管接続部１１Ｊの内部空間が上流側端部流路１２をなす一方、反対側の水道管接続部１１Ｋの内部空間が下流側端部流路１３をなしている。
【０１２９】
メータ受容部１１Ｆの内面のうち、周方向で互いに１８０度離れた位置に上流側端部流路１２及び下流側端部流路１３の各開口１２Ａ，１３Ａとが配置されている。メータ受容部１１Ｆの上端には開放口１４が形成され、この開放口１４から水道メータ２０Ｆを収容した可動筒体３０Ｆが挿入されている。そして可動筒体３０Ｆは、メータ受容部１１Ｆに対して通水位置と止水位置との間で回動可能に嵌合されている。なお、メータ受容部１１Ｆの上端内周面に嵌合されたＣリング１５が可動筒体３０Ｆを抜け止めしている。
【０１３０】
水道メータ２０Ｆは、円柱構造をなすと共に内部に計量流路２１を備える。計量流路２１は水道メータ２０Ｆを径方向に貫通しており、この計量流路２１を流れる水道水の通過体積が、所謂、超音波、電磁誘導又は羽根車を利用して計量される。また、水道メータ２０Ｆの下端部中央には、水道メータ２０Ｆと後述する可動筒体３０Ｆとを一体回動可能に連結する断面非円形の連結凸部２２が形成されている。
【０１３１】
図２２に示すように、水道メータ２０Ｆの上端外周面の全周に亘ってＯリング溝が形成され、ここにＯリング２３Ａが装着されている。また、水道メータ２０Ｆの外面には、計量流路２１の上流側の開口縁を囲むようにＯリング溝が形成され、ここにＯリング２３Ｂが装着されている。これらＯリング２３Ａ，２３Ｂは可動筒体３０Ｆの内周面に押し潰されて密着している。
【０１３２】
水道メータ２０Ｆの上端には計量結果を表示するための表示ユニットＭが一体に設けられ、中間金具１０Ｆから露出している。表示ユニットＭは、所謂、バヨネット式の係止構造を備え、周縁部に形成された複数の係止爪によりメータ受容部１１Ｆの上端縁に係止されている。なお、水道メータ２０Ｆと中間金具１０Ｆとの間は、常には図示しない取り外し防止部材によって連結されており、正規の作業者ではない者によって不正に水道メータ２０Ｆが取り外されることが防止されている。 
【０１３３】
さて、可動筒体３０Ｆは、以下のようである。可動筒体３０Ｆは下端有底の円筒構造をなして水道メータ２０Ｆのほぼ全体を収容し、その周方向で互いに１８０度離れた位置に、可動筒体３０Ｆの円筒壁部を貫通した上流側中継流路３１Ａ及び下流側中継流路３１Ｂが形成されている。
【０１３４】
図２２に示すように、可動筒体３０Ｆの上端には外周面の全周に亘ってＯリング溝が形成され、ここにＯリング３３Ａが装着されている。また、可動筒体３０Ｆの外周面には、上流側中継流路３１Ａの開口縁を囲むようにＯリング溝が形成され、ここにＯリング３３Ｂが装着されている。これらＯリング３３Ａ，３３Ｂはメータ受容部１１Ｆの内面に密着している。
【０１３５】
可動筒体３０Ｆの内面底部には、連結凹部３５が陥没形成され、ここに水道メータ２０Ｆの連結凸部２２が凹凸嵌合している。ここで、連結凹部３５と連結凸部２２とが凹凸嵌合すると、水道メータ２０Ｆの計量流路２１と可動筒体３０Ｆの上流側中継流路３１Ａ及び下流側中継流路３１Ｂとが同軸線上に位置決めされる。
【０１３６】
ところで、メータ受容部１１Ｆと可動筒体３０Ｆとの間には、例えばゴム製のボール８７（本発明の「球体」に相当する）を収容したボール収容部屋１７（本発明の「球体収容部屋」に相当する）が設けられている。ボール収容部屋１７はボール８７が遊動可能な広さを有し、上流側端部流路１２と上流側中継流路３１Ａとに連通している。また、メータ受容部１１Ｆの内面に形成された上流側端部流路１２の開口１２Ａには、例えばゴム製の環状パッキン８８（本発明の「開口シール部」に相当する）が装着されている。環状パッキン８８の内周面は、ボール収容部屋１７から上流側端部流路１２に向かうに従って窄んだすり鉢形状をなしている。
【０１３７】
上流側中継流路３１Ａの内周面はボール収容部屋１７から離れるに従って窄んだすり鉢形状をなしている。また、上流側中継流路３１Ａの奥側の開口縁には、本発明の「球体当接部」に相当する網状部材８９（図２６を参照）が嵌め込まれている。この網状部材８９により、ボール８７が上流側中継流路３１Ａの内側に嵌って閉塞しないようになっている。
【０１３８】
本実施形態の水道メータシステム６００に関する構成は以上であり、以下動作について説明する。水道水の通過体積を計量する場合には、可動筒体３０Ｆを通水位置に配置する。
【０１３９】
すると、上流側端部流路１２に流れ込んだ水道水によってボール８７は上流側中継流路３１Ａ側へ押されて移動し、環状パッキン８８とボール８７との間に隙間ができる。また上流側中継流路３１Ａ側へ押されたボール８７は、網状部材８９に当接するので、上流側中継流路３１Ａとボール８７との間にも隙間ができる。これにより、水道水は、環状パッキン８８とボール８７との隙間を通ってボール収容部屋１７に流入し、ボール収容部屋１７から上流側中継流路３１Ａを通って計量流路２１へ流入する。そして、計量流路２１を通過する際に通過体積が計量される。
【０１４０】
ここで、水道水が下流側端部流路１３から上流側端部流路１２に向かう逆方向に流れた場合には、ボール８７が上流側端部流路１２側に移動し、環状パッキン８８に密着して上流側端部流路１２の開口１２Ａを閉塞する。即ち、ボール８７は、水道水の順方向への流れを許容し逆方向への流れを阻止する逆止弁として機能する。
【０１４１】
さて、水道メータ２０Ｆを検査或いは交換する場合には以下の手順により水道メータ２０Ｆを中間金具１０Ｆから取り外す。まず、可動筒体３０Ｆを通水位置から止水位置へ向けて回動させる。具体的には、表示ユニットＭを把持して水道メータ２０Ｆをメータ受容部１１Ｆに対して回動操作する。すると、可動筒体３０Ｆが水道メータ２０Ｆと一体となってメータ受容部１１Ｆに対して回動し、ボール８７が上流側中継流路３１Ａの内周面に押されて徐々に上流側端部流路１２側へ移動して、環状パッキン８８に密着して上流側端部流路１２の開口１２Ａが完全に塞がれる（図２４を参照）。この状態で、図２５に示すように、水道メータ２０Ｆを上方に引き上げ、可動筒体３０Ｆの上端開口３２から抜き取る。このとき、水道水は上流側端部流路１２の内部で堰き止められるので、少なくとも、水道メータシステム６００の上流側から可動筒体３０Ｆ内へ水道水が流入することはない。なお、可動筒体３０Ｆは、本発明の「カム機構」に相当する。
【０１４２】
検査の済んだ水道メータ２０Ｆ或いは新規な水道メータ２０Ｆは、可動筒体３０Ｆの上端開口３２から挿入する。このとき、水道メータ２０Ｆの連結凸部２２と可動筒体３０Ｆの連結凹部３５とを凹凸嵌合させる。そして、水道メータ２０Ｆを回動操作することで、可動筒体３０Ｆを通水位置に戻せば、再び計量流路２１に通水されて、水道水の通過体積が計量可能となる。
【０１４３】
本実施形態の水道メータシステム６００によれば、可動筒体３０Ｆを止水位置に配置することで、上流側から水道メータ２０Ｆに水道水が流入しないような状態としてから、水道メータ２０Ｆを取り外すことができる。しかも、止水部として機能する可動筒体３０Ｆは、メータ受容部１１Ｆの内側に配置されているので、止水部とメータ受容部とを水道管との接続方向に横並びに配置した従来の水道メータシステムに比較して全長を短くすることができる。従って、従来の止水部を備えた水道メータシステムに比べて設置スペースを省スペース化できる。
【０１４４】
［第７実施形態］
本発明の第７実施形態を図２７〜図３０に基づいて説明する。なお、前記第１〜第６実施形態と同じ構成については、同一符号を付す。
【０１４５】
図２７には、本実施形態に係る水道メータシステム７００の全体構造が示されている。水道メータシステム７００のうち、中間金具１０Ｇは、本体部１１Ｖの外周面から相反する方向に１対の水道管接続部１１Ｊ，１１Ｋを延設した構造をなし、これら水道管接続部１１Ｊ，１１Ｋが、図示しない水道管に接続される。
【０１４６】
本体部１１Ｖの内部は、下端有底の円筒構造をなしたメータ受容部１１Ｇにより、図２７における左側の水道管接続部１１Ｊから下方に延びた下側部屋１１Ｔと、下側部屋１１Ｔの上方に位置して左側の水道管接続部１１Ｊに連通した上側部屋１１Ｕとに分けられている。これら下側部屋１１Ｔと上側部屋１１Ｕは、メータ受容部１１Ｇで上下に重なりかつ、メータ受容部１１Ｇの底壁に形成された流入口１１Ｗを介して連通している。また、メータ受容部１１Ｇの底壁上面には、流入口１１Ｗを囲むようにリング溝が形成され、ここに本発明の「開口シール部」に相当する環状パッキン１６が装着されている。さらに、メータ受容部１１Ｇの底壁には、環状パッキン１６を囲むように円筒ガイド壁１１Ｙが起立形成されている。
【０１４７】
ここで、図２７における左側の水道管接続部１１Ｊの内部空間及び下側部屋１１Ｔが上流側端部流路１２をなし、図２７における右側の水道管接続部１１Ｋの内部空間が下流側端部流路１３をなしている。
【０１４８】
本体部１１Ｖの上端には開放口１４が形成され、この開放口１４から水道メータ２０Ｇを収容した可動筒体３０Ｇが挿入されている。そして可動筒体３０Ｇは、メータ受容部１１Ｇに対して通水位置と止水位置との間で回動可能に嵌合されている。なお、本体部１１Ｖの上端部に螺合された連結ナット８０が可動筒体３０Ｇの上端面に重なって可動筒体３０Ｇを抜け止めしている。
【０１４９】
水道メータ２０Ｇは円柱構造をなし、その軸心部分に計量流路２１Ｇが設けられている。水道メータ２０Ｇの上部には複数の側部開口２７が周方向に並んで形成され、計量流路２１Ｇを通過した水道水は、これら側部開口２７から水道メータ２０Ｇの外部に流出するようになっている。また、計量流路２１Ｇを流れる水道水の通過体積は、所謂、超音波、電磁誘導又は羽根車を利用して計量される。
【０１５０】
水道メータ２０Ｇのうち、側部開口２７よりも上側部分には、外周面の全周に亘ってシール溝が形成され、ここに装着されたＯリング２３Ａが可動筒体３０Ｇの内面で押し潰されて密着している。さらに水道メータ２０Ｇの上端は閉塞されかつその上部には表示ユニットＭが一体に設けられており、水道メータ２０Ｇで計測された通過体積はここで表示される。なお、表示ユニットＭは係止部材９３により本体部１１Ｖ（詳細には、本体部１１Ｖに螺合した連結ナット８０）に係止されている。また、水道メータ２０Ｇの下端部の中心からずれた位置には、水道メータ２０Ｇと後述する可動筒体３０Ｇとを一体回動可能に連結する連結凸部２２が形成されている。
【０１５１】
可動筒体３０Ｇは以下のようである。可動筒体３０Ｇは両端開放の円筒構造をなし、隔壁３０Ｌにより内部空間が水道メータ収容部屋５０Ａとボール収容部屋５０Ｂ（本発明の「球体収容部屋」に相当する）とに分けられている。これら水道メータ収容部屋５０Ａ及びボール収容部屋５０Ｂは、隔壁３０Ｌの中心部分に貫通形成された隔壁連絡口３０Ｍによって連通している。そして、水道メータ２０Ｇの下面に形成された計量流路２１Ｇの上流側開口と隔壁連絡口３０Ｍとが整合して、ボール収容部屋５０Ｂと計量流路２１Ｇとが連通している。なお、隔壁連絡口３０Ｍは、本発明の「上流側中継流路」に相当する。
【０１５２】
水道メータ収容部屋５０Ａは円柱空間で構成され水道メータ２０Ｇのほぼ全体を収容している。水道メータ収容部屋５０Ａの底面、即ち、隔壁３０Ｌの上面には隔壁連絡口３０Ｍを囲むようにＯリング溝が形成され、ここに装着されたＯリング３３Ｇが水道メータ２０Ｇの下面に押し潰されて密着している。また、隔壁３０Ｌの上面で中心からずれた位置には、連結凹部３５が陥没形成され、ここに水道メータ２０Ｇの連結凸部２２が凹凸嵌合している。
【０１５３】
可動筒体３０Ｇの上端寄り部分には、可動筒体３０Ｇの周壁を貫通した複数の側部開口５１が設けられている。側部開口５１は、可動筒体３０Ｇの周方向に並んで設けられ、水道メータ収容部屋５０Ａと下流側端部流路１３とを連通している。また、可動筒体３０Ｇの側部開口５１と水道メータ２０Ｇの側部開口２７とが整合しており、計量流路２１Ｇと下流側端部流路１３とが連通している。なお、可動筒体３０Ｇの側部開口５１は、本発明の「下流側中継流路」に相当する。
【０１５４】
一方、ボール収容部屋５０Ｂは、例えばゴム製のボール８７を遊動可能に収容し、水道メータ収容部屋５０Ａに比べて扁平な略円柱空間で構成されている。また、ボール収容部屋５０Ｂの上面、即ち、隔壁３０Ｌの下面は、周縁部から隔壁連絡口３０Ｍに向かうに従って、メータ受容部１１Ｇの底壁から離れるように湾曲した形状をなしている。
【０１５５】
ところで、ボール収容部屋５０Ｂには、可動筒体３０Ｇが通水位置に配置されたときには、上述のように水道水の流れに応じてボール８７を上下移動可能にする一方、止水位置に配置されたときには、ボール８７を環状パッキン１６に押し付けて流入口１１Ｗを塞ぐ止水機能が備えられている。
【０１５６】
具体的には、ボール収容部屋５０Ｂには、メータ受容部１１Ｇに対して回転を規制されかつ上下方向に直動可能はカム中継部材９１と、可動筒体３０Ｇが通水位置から止水位置に向けて回動したときに、カム中継部材９１に摺接して下方へ移動させる回動摺接壁９２とが備えられている。
【０１５７】
カム中継部材９１は、円板壁９１Ａの周縁部から下方に向かって周壁９１Ｂを垂下させた構造をなし、その周壁９１Ｂが可動筒体３０Ｇの内面と円筒ガイド壁１１Ｙの外面とに摺接可能に嵌合している。また、図示しないが、周壁９１Ｂと円筒ガイド壁１１Ｙの互いの摺接面には、カム中継部材９１をメータ受容部１１Ｇに対して回動不能としつつ上下移動可能とした凹凸係合部が設けられている。
【０１５８】
カム中継部材９１のうち、円板壁９１Ａの中心部分とその周りには、複数の通水口９１Ｅが貫通形成されており、それら通水口９１Ｅのうち円板壁９１Ａの中心に形成された通水口９１Ｅの内周面がボール当接面９１Ｄ（本発明の「球体当接部」に相当する）となっている。ボール当接面９１Ｄは円板壁９１Ａの下面から上方に向かうに従って窄んだすり鉢形状をなしている。
【０１５９】
カム中継部材９１のうち円板壁９１Ａの上面周縁部には、可動筒体３０Ｇを通水位置から止水位置へ向けて回動する際の回動方向（図３０における右方向）とは反対方向を向いた傾斜面９１Ｃが備えられている。そして、可動筒体３０Ｇが通水位置から止水位置に向けて回動した場合には、この傾斜面９１Ｃに、次述する回動摺接壁９２が摺接する。
【０１６０】
回動摺接壁９２（本発明の「回動摺接部」に相当する）は、隔壁３０Ｌの下面周縁部からカム中継部材９１に向かって延びている。回動摺接壁９２には、可動筒体３０Ｇを通水位置から止水位置へ向けて回動する際の回動方向（図３０における右方向）を向いた傾斜面９２Ａが備えられている。そして、可動筒体３０Ｇが通水位置から止水位置へ向けて回動されると、回動摺接壁９２がカム中継部材９１に対して回動し、回動摺接壁９２の傾斜面９２Ａとカム中継部材９１の傾斜面９１Ｃとが摺接してカム中継部材９１を下方、即ち、ボール８７側に押し下げる。
【０１６１】
本実施形態の水道メータシステム７００に関する構成は以上であり、以下動作について説明する。水道メータシステム７００によって水道水の通過体積を計量する場合には、可動筒体３０Ｇを通水位置に配置する。具体的には、例えば、表示ユニットＭに付された目印を中間金具１０Ｇの外面に付された通水位置用の目印に一致させる。すると、上流側端部流路１２から下流側端部流路１３に向かって流れる水道水の水圧により、ボール８７がボール収容部屋５０Ｂ内で上方に押し上げられ、環状パッキン１６から離れて流入口１１Ｗが開放される。またボール８７は、カム中継部材９１のボール当接面９１Ｄで受け止められて、隔壁連絡口３０Ｍから離れた位置に保持される。これにより、上流側端部流路１２と下流側端部流路１３との間が連通し、水道メータ２０Ｇ（詳細には、計量流路２１Ｇ）を流れる水道水の通過体積が計量される。
【０１６２】
ここで、水道水が下流側端部流路１３から上流側端部流路１２に向かう逆方向に流れた場合には、ボール８７は下方、即ち、流入口１１Ｗ側に移動し、環状パッキン１６に密着して流入口１１Ｗを塞ぐ。これにより、水道水は、ボール収容部屋５０Ｂで堰き止められて上流側端部流路１２に向かって流れことはない。即ち、水道メータシステム７００の通常使用時には、ボール８７は水道水の順方向への流れを許容し逆方向への流れを阻止する逆止弁として機能する。
【０１６３】
さて、水道メータ２０Ｇを検査或いは交換する場合には以下の手順により、水道メータ２０Ｇを中間金具１０Ｇから取り外す。まず、可動筒体３０Ｇを通水位置から止水位置に向けて回動操作する。具体的には、表示ユニットＭを把持して水道メータ２０Ｇをメータ受容部１１Ｇに対して回動操作する。すると可動筒体３０Ｇが水道メータ２０Ｇと一体に回動する。このとき、可動筒体３０Ｇに備えた回動摺接壁９２とカム中継部材９１とが摺接し、カム中継部材９１がボール８７側へ移動し、カム中継部材９１はボール当接面９１Ｄにボール８７を受け止めた状態で下方へ移動する。可動筒体３０Ｇが止水位置に配置されると、ボール８７がカム中継部材９１によって環状パッキン１６に押し付けられ流入口１１Ｗが塞がれる（図２８の状態）。この状態で、係止部材９３を外側に撓ませて係止を解除し、図２９に示すように、水道メータ２０Ｇを上方に引き上げて可動筒体３０Ｇの上端開口３２から抜き取る。このとき、水道水は上流側端部流路１２の内部で堰き止められるので、少なくとも上流側から可動筒体３０Ｆ内へ水道水が流入することはない。
【０１６４】
検査の済んだ水道メータ２０Ｇ或いは新規な水道メータ２０Ｇは、可動筒体３０Ｇの上端開口３２から挿入する。このとき、水道メータ２０Ｆの連結凸部２２と可動筒体３０Ｆの連結凹部３５とを凹凸嵌合させ、係止部材９３を連結ナット８０に係止する。そして、水道メータ２０Ｇを回動操作することで、可動筒体３０Ｇを止水位置から通水位置に戻すと、ボール８７が上流側端部流路１２に流れ込んだ水道水によってカム中継部材９１と共に上方へ押し上げられ、環状パッキン１６から離れて流入口１１Ｗが開放する。これにより、再び水道メータ２０Ｇの計量流路２１Ｇに通水されて、水道水の通過体積が計量可能となる。
【０１６５】
本実施形態によれば、前記第６実施形態と同等の効果を奏することができる。なお、水道メータ２０Ｇと中間金具１０Ｇとの間を、常には図示しない取り外し防止部材によって連結して、正規の作業者ではない者によって不正に水道メータ２０Ｇが取り外されることを防止するようにしてもよい。 
【０１６６】
［第８実施形態］
図３１は本発明の第８実施形態を示す。この第８実施形態は、中間金具の構成を上記第７実施形態とは異なる構成としたものである。その他の構成については上記第７実施形態と同じであるため、同じ構成については、同一符号を付し、重複する説明は省略する。
【０１６７】
図３１には、本実施形態に係る水道メータシステム８００の全体構造が示されている。水道メータシステム８００のうち、中間金具１０Ｈは、図示しない水道管に接続される水道管接続ユニット６０と、水道メータ２０Ｇを収容した本体部１０Ｎとに分けられ、これらが着脱可能となっている。
【０１６８】
水道管接続ユニット６０は、二重筒体６０Ａの外周面から相反する方向に１対の水道管接続部６０Ｂ，６０Ｃを延設した構造をなし、これら水道管接続部６０Ｂ，６０Ｃが、図示しない水道管に接続される。図３１における右側の水道管接続部６０Ｃの内部空間は、二重筒体６０Ａの内筒部６２の内部空間に連通しており、図３１における左側の水道管接続部６０Ｃは、内筒部６２とその外側を囲んだ外筒部６３とで囲まれた空間に連通している。内筒部６２の上端には段差部が形成され、ここにパッキン６４が装着されている。また、外筒部６３の内周面には螺子が形成されている。
【０１６９】
本体部１０Ｎは、円筒形状の外ケース１０Ｊの内側に、円筒形状のメータ受容部１１Ｈを備えてなり、これら外ケース１０Ｊとメータ受容部１１Ｈとが図示しないリブによって一体に繋がった構造をなしている。そして、メータ受容部１１Ｈに、水道メータ２０Ｇを収容した可動筒体３０Ｇが通水位置（第１の位置）と止水位置（第２の位置）との間で回動可能に嵌合されている。
【０１７０】
外ケース１０Ｊの下面中央部には、円形開口１０Ｌが形成されその円形開口１０Ｌの周縁部から水道管接続ユニット６０の外筒部６３に向かって連結筒１０Ｍが延びている。連結筒１０Ｍの外周面には螺子が形成され外筒部６３の内周面に螺合している。
【０１７１】
メータ受容部１１Ｈの下面中央部には流入口１１Ｗが形成され、その流入口１１Ｗの周縁部には流入管１１Ｚが形成されている。流入管１１Ｚは、メータ受容部１１Ｈの下面から水道管接続ユニット６０の内筒部６２に向かって延び、円形開口１０Ｌの中央部を通って外ケース１０Ｊの下面よりも下方に突出している。流入管１１Ｚの下端部には段差部が形成され、内筒部６２の上端部に凹凸嵌合している。
【０１７２】
ここで、水道管接続ユニット６０の上面には、外筒部６３を囲むようにＯリング溝が形成され、ここに装着されたＯリング６５が本体部１０Ｎ（詳細には、外ケース１０Ｊ）の下面に押し潰されて密着している。また、内筒部６２の上端にもパッキン６４が装着され、流入管１１Ｚとの間で押し潰されて密着している。
【０１７３】
なお、本実施形態において、図３１における左側の水道管接続部６０Ｂと内筒部６２と流入管１１Ｚの各内部空間が、本発明の「上流側端部流路」に相当する。また、内筒部６２及び外筒部６３で囲まれた空間と、外ケース１０Ｊ及びメータ受容部１１Ｈで囲まれた空間と、図３１における右側の水道管接続部６０Ｃの内部空間が本発明の「下流側端部流路」に相当する。
【０１７４】
そして、上流側の水道管接続部６０Ｂから水道メータシステム８００に流入した水道水は、内筒部６２、ボール収容部屋５０Ｂを通って計量流路２１Ｇに流入し、ここで羽根車、電磁誘導又は超音波を利用して通過体積が計測される。計量流路２１Ｇを通過した水道水は、メータ受容部１１Ｈ及び外ケース１０Ｊで囲まれた空間、内筒部６２及び外筒部６３で囲まれた空間の順に通って下流側の水道管接続部６０Ｃから水道メータシステム８００の外部に流出する。本実施形態によれば、上記第７実施形態と同等な効果を奏する。
【図面の簡単な説明】
【０１７５】
【図１】本発明の第１実施形態に係る水道メータシステムの正断面図
【図２】水道メータシステムの側断面図
【図３】通水状態における水道メータシステムの平断面図
【図４】止水状態における水道メータシステムの平断面図
【図５】水道メータを取り外した状態の水道メータシステムの正断面図
【図６】第２実施形態に係る水道メータシステムの正断面図
【図７】可動筒体の斜視図
【図８】通水状態における水道メータシステムの平断面図
【図９】（Ａ）バイパス流路による通水状態時の水道メータシステムの平断面図（Ｂ）正断面図
【図１０】水道メータと可動筒体の分解斜視図
【図１１】第３実施形態に係る水道メータシステムの正断面図
【図１２】可動筒体の斜視図
【図１３】通水状態における水道メータシステムの平断面図
【図１４】（Ａ）バイパス流路による通水状態時の水道メータシステムの平断面図（Ｂ）正断面図
【図１５】止水状態における水道メータシステムの平断面図
【図１６】第４実施形態に係る水道メータシステムの正断面図
【図１７】水道メータシステムの側断面図
【図１８】（Ａ）水道メータシステムの正面図（Ｂ）側面図
【図１９】可動筒体の斜視図
【図２０】（Ａ）バイパス流路による通水状態時の水道メータシステムの平断面図（Ｂ）図２０の（Ａ）におけるＸ−Ｘ断面図
【図２１】第５実施形態に係る水道メータシステムの正断面図
【図２２】第６実施形態に係る水道メータシステムの正断面図
【図２３】通水状態時の水道メータシステムの平断面図
【図２４】止水状態時の水道メータシステムの平断面図
【図２５】水道メータを取り外した状態の水道メータシステムの正断面図
【図２６】網状部材の平面図
【図２７】第７実施形態に係る水道メータシステムの正断面図
【図２８】止水状態時の水道メータシステムの平断面図
【図２９】水道メータを取り外した状態の水道メータシステムの正断面図
【図３０】（Ａ）通水状態におけるカム中継部材と回動摺接部材の側面図（Ｂ）止水状態におけるカム中継部材と回動摺接部材の側面図
【図３１】第８実施形態に係る水道メータシステムの正断面図
【符号の説明】
【０１７６】
１０Ａ〜１０Ｈ    中間金具
１１Ａ〜１１Ｈ    メータ受容部
１１Ｊ，１１Ｋ    水道管接続部
１２    上流側端部流路
１３    下流側端部流路
１６    Ｏリング（開口シール部）
１７，５０Ｂ    ボール収容部屋（球体収容部屋）
２０Ａ，２０Ｂ，２０Ｄ〜２０Ｇ    水道メータ
２１    計量流路
３０Ａ〜３０Ｇ    可動筒体
３１Ａ    上流側中継流路
３１Ｂ    下流側中継流路
３７，３８    バイパス流路
３９Ｂ  操作用グリップ（筒体操作部）
４０    操作レバー
６０Ｂ，６０Ｃ    水道管接続部
８７    ボール（球体）
８８    環状パッキン（開口シール部）
８９    網状部材（球体当接部）
９１    カム中継部材
９１Ｄ    ボール当接面（球体当接部）
９２    回動摺接壁（回動摺接部）
１００〜８００    水道メータシステム
【図１】
2006275589.tif 000003
【図２】
2006275589.tif 000004
【図３】
2006275589.tif 000005
【図４】
2006275589.tif 000006
【図５】
2006275589.tif 000007
【図６】
2006275589.tif 000008
【図７】
2006275589.tif 000009
【図８】
2006275589.tif 000010
【図９】
2006275589.tif 000011
【図１０】
2006275589.tif 000012
【図１１】
2006275589.tif 000013
【図１２】
2006275589.tif 000014
【図１３】
2006275589.tif 000015
【図１４】
2006275589.tif 000016
【図１５】
2006275589.tif 000017
【図１６】
2006275589.tif 000018
【図１７】
2006275589.tif 000019
【図１８】
2006275589.tif 000020
【図１９】
2006275589.tif 000021
【図２０】
2006275589.tif 000022
【図２１】
2006275589.tif 000023
【図２２】
2006275589.tif 000024
【図２３】
2006275589.tif 000025
【図２４】
2006275589.tif 000026
【図２５】
2006275589.tif 000027
【図２６】
2006275589.tif 000028
【図２７】
2006275589.tif 000029
【図２８】
2006275589.tif 000030
【図２９】
2006275589.tif 000031
【図３０】
2006275589.tif 000032
【図３１】
2006275589.tif 000033